(57)【要約】  本明細書には、低いＲＦエネルギを発生させて放出する経皮微細注射針穿刺機器が開示されている。そのような微細注射針穿刺機器は、駆動モータ、駆動モータを制御するための駆動回路、および駆動モータのロータ上に位置する駆動リンクを備えることができる。微細注射針穿刺機器は、バッテリおよび関連する電力管理回路を含む電源カプセルも備えることができる。本体に連結された注射針カートリッジも含むことができ、注射針カートリッジは、駆動軸と、駆動軸の遠位端に連結されて駆動軸と一緒に移動する注射針ユニットとを備え、注射針ユニットは注射針ユニットから伸びる少なくとも１本の注射針を有する。駆動軸は、駆動モータの駆動リンクに係合するように構成されたリンク部材を備えることができ、駆動モータによって駆動されて、注射針ユニットを、少なくとも１本の注射針が注射針カートリッジの遠位端を越えて伸びかつ注射針カートリッジの遠位端内に引っ込むように、移動させるように構成することができる。微細注射針穿刺機器は、電源によって給電され、ＲＦエネルギを生成するように構成されたＲＦエネルギ回路、ならびに発生したＲＦエネルギをＲＦエネルギ回路から少なくとも１本の注射針に伝達するように構成された伝達回路も含むことができる。【選択図】図１０Ｂ
2019520887.tif 000002
【特許請求の範囲】
【請求項１】
経皮微細注射針穿刺装置であって、
前端と、前記前端の反対側の後端とを有する本体であって、駆動モータ、前記駆動モータを制御するための駆動回路、および前記駆動モータのロータの遠位端に位置する駆動リンクを備えた本体と、
前記本体の前記後端に連結された近位端を有する電源カプセルであって、電源および関連する電源管理回路を含む電源カプセルと、
前記本体の前記前端に連結された近位端を有する注射針カートリッジとを備え、前記注射針カートリッジは、
前記注射針カートリッジを貫通して配置された駆動軸と、
前記駆動軸の遠位端に連結されて前記駆動軸とともに移動する注射針ユニットであって、前記注射針ユニットから伸びる少なくとも１本の注射針を有する注射針ユニットとを備え、
前記駆動軸は、前記駆動モータの駆動リンクに係合するように構成されたリンク部材を備え、
前記駆動軸は、前記駆動モータによって駆動されて前記注射針ユニットを、前記少なくとも１本の注射針が前記注射針カートリッジの前記遠位端を越えて伸びかつ前記注射針カートリッジの前記遠位端内に引っ込むように、移動させるように構成され、
前記経皮微細注射針穿刺装置は、
前記電源によって給電され、ＲＦエネルギを発生するように構成されたＲＦエネルギ回路と、
前記発生したＲＦエネルギを前記ＲＦエネルギ回路から前記少なくとも１本の注射針に伝達するように構成された伝達回路とを備えることを特徴とする、経皮微細注射針穿刺装置。
【請求項２】
前記ＲＦエネルギ回路は、前記本体内に少なくとも部分的に収容され、前記伝達回路は、前記ＲＦエネルギ回路と前記少なくとも１本の注射針との間の１つまたは複数の電気相互接続部を備える、請求項１に記載の微細注射針穿刺装置。
【請求項３】
前記伝達回路は、前記ＲＦエネルギ回路に電気的に連結されて前記ＲＦエネルギを前記注射針ユニットの前記少なくとも１本の注射針に供給するように構成された１つまたは複数のプリント回路基板を備える、請求項２に記載の微細注射針穿刺装置。
【請求項４】
前記伝達回路は、前記発生したＲＦエネルギを前記少なくとも１本の注射針に伝達する前に変換するように構成された１つまたは複数の変圧器を含む、請求項２に記載の微細注射針穿刺装置。
【請求項５】
前記電源はバッテリを備える、請求項１に記載の微細注射針穿刺装置。
【請求項６】
前記電源カプセルは、さらに前記バッテリを無線充電するように構成された再充電回路を備える、請求項５に記載の微細注射針穿刺装置。
【請求項７】
前記電源は第１の電源であり、前記注射針カートリッジは、前記第１の電源と電気的に協働する第２の電源を備える、請求項１に記載の微細注射針穿刺装置。
【請求項８】
前記第１の電源は、前記駆動回路および駆動モータに給電するように構成され、前記第２の電源は、前記ＲＦエネルギ回路に給電するように構成されている、請求項７に記載の微細注射針穿刺装置。
【請求項９】
前記駆動軸は、前記リンク部材および前記駆動リンクによって前記注射針カートリッジの長手方向軸線に沿って往復駆動されて前記注射針ユニットを、前記少なくとも１本の注射針が前記注射針カートリッジの前記遠位端を越えて伸びかつ前記注射針カートリッジの前記遠位端内に引っ込むように、前記注射針カートリッジの長手方向軸線に沿って往復運動させるように構成されている、請求項１に記載の微細注射針穿刺装置。
【請求項１０】
前記注射針カートリッジの長手方向軸線は、前記注射針カートリッジが前記本体に対して角度をなして並ぶように、前記駆動モータの長手方向軸線に対して非平行である、請求項９に記載の微細注射針穿刺装置。
【請求項１１】
前記駆動軸は、前記駆動軸の移動中に前記駆動軸の回転を防止するために、前記注射針カートリッジ内の非円形開口と協働する非円形断面とされている、請求項９に記載の微細注射針穿刺装置。
【請求項１２】
前記注射針カートリッジは、前記少なくとも１本の注射針が前記注射針カートリッジの前記遠位端を越えて伸びる最大距離を調整するように構成された深さ調整機構を備える、請求項１に記載の微細注射針穿刺装置。
【請求項１３】
さらに、前記注射針ユニット内にあり、前記注射針ユニットを介して投薬するための液体を保持するように構成された流体貯蔵容器を備える、請求項１に記載の微細注射針穿刺装置。
【請求項１４】
さらに、前記注射針カートリッジの前記近位端に配置され、前記装置の使用中に前記注射針ユニットから前記注射針カートリッジを通る前記液体の逆流を防止するように構成された少なくとも１つの吸収部材を備える、請求項１に記載の微細注射針穿刺装置。
【請求項１５】
前記少なくとも１つの吸収バリアは、外部寸法が前記注射針カートリッジのハウジングの内面と接触する大きさとされた少なくとも１つの吸収部材を備える、請求項１４に記載の微細注射針穿刺装置。
【請求項１６】
前記少なくとも１つの吸収部材は、さらに、内部寸法が前記駆動軸と接触する大きさとされている、請求項１５に記載の微細注射針穿刺装置。
【請求項１７】
経皮微細注射針穿刺装置であって
前端と、前記前端の反対側の後端とを有する本体であって、駆動モータ、前記駆動モータを制御するための駆動回路、および前記駆動モータのロータの遠位端に位置する駆動リンクを備えた本体と、
前記本体の前記後端に連結された近位端を有する電源カプセルであって、電源および関連する電源管理回路を備える電源カプセルと、
前記本体の前記前端に連結された近位端を有する注射針カートリッジとを備え、前記注射針カートリッジは、
前記注射針カートリッジを貫通して配置された駆動軸と、
前記駆動軸の遠位端に連結されて前記駆動軸とともに移動する注射針ユニットであって、前記注射針ユニットから伸びる少なくとも１本の注射針を有し、前記少なくとも１本の注射針を介して投薬するための液体を保持するように構成された流体貯蔵容器を備える注射針ユニットとを備え、
前記駆動軸は、前記駆動モータの駆動リンクに係合するように構成されたリンク部材を備え、
前記駆動軸は、前記リンク部材および駆動リンクによって前記注射針カートリッジの長手方向軸線に沿って往復駆動されて前記注射針ユニットを、前記少なくとも１本の注射針が前記注射針カートリッジの前記遠位端を越えて伸びかつ前記注射針カートリッジの前記遠位端内に引っ込むように、前記注射針カートリッジの前記長手方向軸線に沿って往復運動させ、
前記注射針カートリッジはばねを備え、前記ばねは、前記駆動軸が前記注射針カートリッジの前記近位端から前記注射針カートリッジの前記遠位端まで第１の方向に長手方向に移動するとき縮み、かつ伸張して前記駆動軸を前記第１の方向と反対の第２の方向に押し戻すように構成されており、
前記経皮微細注射針穿刺装置は、
前記本体に少なくとも部分的に収容され、前記電源によって給電されてＲＦエネルギを発生するように構成されたＲＦエネルギ回路と、
前記発生したＲＦエネルギを前記ＲＦエネルギ回路から前記少なくとも１本の注射針に伝達するように構成され、かつ前記ＲＦエネルギ回路と前記少なくとも１本の注射針との間に１つまたは複数の電気相互接続部を備える伝達回路とを備えることを特徴とする、経皮微細注射針穿刺装置。
【請求項１８】
前記伝達回路は、前記発生したＲＦエネルギを、前記少なくとも１本の注射針に伝達する前に変換するように構成された１つまたは複数の変圧器を含む、請求項１７に記載の微細注射針穿刺装置。
【請求項１９】
前記電源はバッテリを備える、請求項１７に記載の微細注射針穿刺装置。
【請求項２０】
前記電源カプセルは、さらに、前記バッテリを無線再充電するように構成された再充電回路を備える、請求項１９に記載の微細注射針穿刺装置。
【請求項２１】
前記電源は第１の電源であり、前記注射針カートリッジは、前記第１の電源と電気的に協働する第２の電源を備える、請求項１７に記載の微細注射針穿刺装置。
【請求項２２】
前記第１の電源は、前記駆動回路および駆動モータに給電するように構成され、前記第２の電源は、前記ＲＦエネルギ回路に給電するように構成されている、請求項２１に記載の微細注射針穿刺装置。
【請求項２３】
前記注射針カートリッジの長手方向軸線は、前記注射針カートリッジが前記本体に対して角度をなして並ぶように、前記駆動モータの長手方向軸線に対して非平行である、請求項１７に記載の微細注射針穿刺装置。
【請求項２４】
前記駆動軸は、前記駆動軸の移動中に前記駆動軸の回転を防止するために、前記注射針カートリッジ内の非円形開口と協働する非円形断面とされている、請求項１７に記載の微細注射針穿刺装置。
【請求項２５】
前記注射針カートリッジは、前記少なくとも１本の注射針が前記注射針カートリッジの前記遠位端を越えて伸びる最大距離を調整するように構成された深さ調整機構を備える、請求項１７に記載の微細注射針穿刺装置。
【請求項２６】
さらに、前記注射針カートリッジの前記近位端に配置され、前記装置の使用中に前記注射針ユニットから前記注射針カートリッジを通る液体の逆流を防止するように構成された少なくとも１つの吸収部材を備える、請求項１７に記載の微細注射針穿刺装置。
【請求項２７】
前記少なくとも１つの吸収バリアは、外部寸法が前記注射針カートリッジのハウジングの内面と接触する大きさとされた少なくとも１つの吸収部材を備える、請求項２６に記載の微細注射針穿刺装置。
【請求項２８】
前記少なくとも１つの吸収部材は、さらに、内部寸法が前記駆動軸と接触する大きさとされている、請求項２７に記載の微細注射針穿刺装置。
【発明の詳細な説明】
【技術分野】
【０００１】
関連出願の相互参照
この出願は、２０１７年４月２４日に出願された米国特許出願第１５／４９５，５６４号の国際特許出願であり、この国際特許出願は、２０１６年１１月１８日に出願された米国特許出願第１５／３５６，０７９号の一部継続出願でありその優先権を主張し、この一部継続出願は、２０１６年６月８日に出願された米国特許出願第１５／１７６，２２３号の一部継続出願でありその優先権を主張し、これらの各々の米国出願は、その全体が全ての目的に役立つために参照することによって本明細書に組み込まれる。
【０００２】
本開示は、皮膚を微細注射針で穿刺する装置に関し、特に、使い捨て注射針カートリッジとともに使用する高周波低エネルギを放射する皮膚用の微細注射針穿刺装置に関する。
【背景技術】
【０００３】
一般的に、皮膚科の微細注射針穿刺装置は、微細で殺菌した注射針で皮膚を繰り返し刺す（いわゆる皮膚を「注射針で穿刺する」）美容経皮処置において使用される装置を指す。さらに、多くの液体注射装置は、美容目的のために、入れ墨顔料または液体／ゲル薬剤、コラーゲンまたは他の品物を皮膚または皮膚の患部に注射するために行う、それらの微細注射針による処置を含む。そのような微細注射針穿刺装置は、一般的に、１本または複数本の注射針を内蔵する注射針カートリッジを含み、注射針カートリッジ全体は、ある患者から別の患者への雑菌混入を防ぐために使い捨てである。これを達成するために、そのような装置は、注射針ユニットを含みかつ微細注射針穿刺装置の使用中にその前端に取り付けられる、使い捨て注射針カートリッジを備えている。
【０００４】
しかしながら、従来の微細注射針穿刺装置は、使い捨ての注射針カートリッジを使用するが、装置を患者に使用する間に皮膚から滲み出た血液やその他の液体が、処置中に使い捨て注射針カートリッジに沿って微細注射針穿刺装置の（再利用できる）本体内に流入することが多い。初期の装置では、注射針ユニットまたは注射針カートリッジと本体との間に、機械的接続部があるのみであり、機械的接続部は、注射針ユニットまたは注射針カートリッジから装置本体内に逆流する少量の血液（または他の液体）を阻止することができず、そのために液体注射装置の使用後、次の患者の前に注射針ユニットまたは注射針カートリッジを交換しても、以前に手術した人の血液または他の雑菌が混入した液体が本体内に残った。これにより、次の患者に前の患者からの血液または他の液体の雑菌が混入するという容認できない危険が生じた。
【０００５】
より新しい従来の装置では、カートリッジ内で使い捨て注射針シールが使用されて、雑菌混入流体が機器の本体内に逆流するのを阻止し、または注射針カートリッジを通って逆流するような液体を捕捉することを試みている。そのような例示的な試みは、Ｌｅｅが所有する米国特許第８，９２０，３７９号に見られる。残念なことに、これらの注射針カートリッジは、注射針カートリッジの構成部品を微細注射針穿刺機器または「ペン」の本体から密閉しようとすることに頼っている。しかしながら、気密であることを意図したシールの実装形態であっても、「密封された」カートリッジは、依然として装置の本体に逆流する雑菌混入を完全に防止することができない。例えば、‘３７９特許のＬｅｅのデザインでは、注射針ユニットと装置の使用中に注射針ユニットを出し入れする往復軸との間にシールを設けるためにゴム材料を採用し、このゴム材料は、流体の一部が依然としてカートリッジから装置の本体に漏れることができるようにする。そのような漏れは、装置の使用中にシール部材が気密状態でつかむことを意図している構成部品の素早い動きによって生じ、したがってそのような素早く動く構成部品上に気密シール作用を保つことは、不可能ではないにしても面倒であることが判明している。したがって、カートリッジとペン機器の本体との間に気密シールを形成しようとするこれらの新しいデザインでも、そのような従来の液体注射機器にとって雑菌混入液体が装置本体に逆流するのを完全に阻止することは困難であることが判明しており、この場合次の人向けに採用する新しい注射針カートリッジに雑菌が混入する。
【０００６】
従って、当該技術分野において、雑菌混入液体がカートリッジを通って逆流して装置の本体に雑菌が混入するのをより効果的に阻止することができるが、上記従来技術の欠点を受けない使い捨て注射針カートリッジが必要とされている。本開示は、そのような解決策を提供する。
【発明の概要】
【０００７】
先行技術の欠点を克服するために、開示した原理は、使い捨て注射針カートリッジとともに使用する高周波の低いエネルギを放射する液体注射機器を含む、皮膚科微細注射針穿刺機器の様々な実施形態を提供する。いくつかの実施形態は、雑菌混入液体がカートリッジを通って逆流して機器の本体に到達することを防止する吸収バリアも含むことができる。一実施形態では、このような微細注射針穿刺機器は、前端と、前端の反対側の後端とを有する本体を備え、本体は、駆動モータ、駆動モータを制御する駆動回路、および駆動モータのロータの遠位端に位置する駆動リンクを備えることができる。このような微細注射針穿刺機器は、本体の後端に連結された近位端を有する電源カプセルも備えることができ、電源カプセルは、電源および関連する電源管理回路を備える。注射針カートリッジも含まれ、注射針カートリッジは、本体の前端に連結された近位端を有することができ、注射針カートリッジは、注射針カートリッジを貫通して配置された駆動軸と、駆動軸の遠位端に連結されて駆動軸とともに移動する注射針ユニットとを備え、注射針ユニットは、注射針ユニットから伸びる少なくとも１本の注射針を有する。このような実施形態では、駆動軸は、駆動モータの駆動リンクに係合するように構成されたリンク部材を備え、駆動モータによって駆動されて、注射針ユニットを、少なくとも１本の注射針が注射針カートリッジの遠位端を越えて伸びかつ注射針カートリッジの遠位端内に引っ込むように、移動させるように構成されている。このようなＲＦ微細注射針穿刺機器の例示的な実施形態は、電源によって給電されＲＦエネルギを発生するように構成されたＲＦエネルギ回路、ならびに発生したＲＦエネルギをＲＦエネルギ回路から少なくとも１つの注射針に伝達するように構成された伝達回路も含むことができる。
【０００８】
別の実施形態では、ＲＦ経皮微細注射針穿刺装置が、前端と、前端の反対側の後端とを有する本体を備えることができ、本体は、駆動モータ、駆動モータを制御するための駆動回路、および駆動モータのロータの遠位端に位置する駆動リンクを備える。このような装置は、本体の後端に連結された近位端を有する電源カプセルも含むことができ、電源カプセルは、電源および関連する電源管理回路を備える。機器には、本体の前端に連結された近位端を有する注射針カートリッジも含めることができる。このような例示的な注射針カートリッジは、注射針カートリッジを貫通して配置された駆動軸と、駆動軸の遠位端に連結されて駆動軸とともに移動する注射針ユニットとを備え、注射針ユニットは、注射針ユニットから伸びる少なくとも１本の注射針と、少なくとも１本の注射針を介して投薬するための液体を保持するように構成された流体貯蔵容器とを有する。このような例示的な実施形態では、駆動軸は、駆動モータの駆動リンクと係合するように構成されたリンク部材を備え、駆動軸は、リンク部材および駆動リンクによって注射針カートリッジの長手方向軸に沿って往復駆動されて、注射針ユニットを、少なくとも１本の注射針が注射針カートリッジの遠位端を越えて伸びかつ注射針カートリッジの遠位端内に引っ込むように、注射針カートリッジの長手方向軸線に沿って往復運動させるように構成されている。注射針カートリッジはばねも含むことができ、ばねは、駆動軸が注射針カートリッジの近位端から注射針カートリッジの遠位端まで第１の方向に長手方向に移動するとき縮み、伸張して駆動軸を第１の方向とは反対の第２の方向に押し戻すように構成されている。このようなＲＦ微細注射針穿刺機器の例示的な実施形態は、本体内に少なくとも部分的に収容され、電源によって給電されてＲＦエネルギを発生するように構成されたＲＦエネルギ回路、ならびに発生したＲＦエネルギをＲＦエネルギ回路から少なくとも１本の注射針に伝達するように構成され、ＲＦエネルギ回路と少なくとも１本の注射針との間の１つまたは複数の電気相互接続部を備える伝達回路も含むことができる。
【図面の簡単な説明】
【０００９】
以下の詳細な説明は、実施形態の非限定的な例の目的として、図面の複数の図を通じて参照番号が同じ部分を表すことを注記した図面を参照する。
【００１０】
【図１】開示した原理に従って構成された使い捨て注射針カートリッジを含む、微細注射針穿刺装置の一実施形態の外部側面図を示す。
【図２】開示した原理に従って構成された使い捨て注射針カートリッジの一実施形態の側断面図を示す。
【図２Ａ】図２に示した使い捨て注射針カートリッジの実施形態における、支持部材および吸収部材の例示的な形状の上面図を示す。
【図３】開示した原理に従って構成された使い捨て注射針カートリッジの別の実施形態の側断面図を示す。
【図３Ａ】図３に示した使い捨て注射針カートリッジの実施形態における、１つの支持部材の例示的な形状の上面図を示す。
【図３Ｂ】図３に示した使い捨て注射針カートリッジの実施形態における、別の支持部材および／または吸収部材の例示的な形状の上面図を示す。
【図４Ａ】開示した原理に従って構成された使い捨て注射針カートリッジの別の実施形態の分解側面図を示す。
【図４Ｂ】図４Ａに示した使い捨て注射針カートリッジの実施形態の組立状態における部分側断面図を示す。
【図５】開示した原理に従って構成された使い捨て注射針カートリッジのさらに別の実施形態の側断面図を示す。
【図５Ａ】図５に示した使い捨て注射針カートリッジの実施形態における、１つの支持部材の例示的な形状の上面図を示す。
【図５Ｂ】図５に示した使い捨て注射針カートリッジの実施形態における、別の支持部材および／または吸収部材の例示的な形状の上面図を示す。
【図６Ａ】開示した原理に従って構成された使い捨て注射針カートリッジのさらに別の実施形態の側面図を示す。
【図６Ｂ】図６Ａに示した使い捨て注射針カートリッジの実施形態の側断面図を示す。
【図６Ｃ】図６Ａおよび図６Ｂに示した使い捨て注射針カートリッジの実施形態の分解図を示す。
【図７Ａ】開示した原理に従うＲＦエネルギ放出型使い捨て注射針カートリッジの実施形態の分解図を示す。
【図７Ｂ】図７ＡのＲＦエネルギ放出型使い捨て注射針カートリッジの実施形態の組立状態における等角図を示す。
【図８Ａ】開示した原理に従うＲＦ注射針カプセルの一実施形態の拡大図を示す。
【図８Ｂ】図８Ａ示したＲＦ注射針カプセルの実施形態の分解図を示す。
【図９Ａ】図８Ａおよび図８Ｂに示したＲＦ注射針カプセルの組立状態における側面図を示す。
【図９Ｂ】図９Ａに示したＲＦ注射針カプセルの側断面図を示す。
【図１０Ａ】図７Ａおよび図７Ｂに示した使い捨てＲＦ注射針カートリッジの組立状態における側面図を示す。
【図１０Ｂ】図１０Ａに示したＲＦ注射針カートリッジの側断面図を示す。
【図１１】開示した原理に従って設計されて構成されたＲＦ微細注射針穿刺機器の別の実施形態の側断面図を示す。
【図１２】開示した原理に従って設計されて構成されたＲＦ微細注射針穿刺機器のさらに別の実施形態の側断面図を示す。
【発明を実施するための形態】
【００１１】
以上を考慮して、本開示は、したがって１つまたは複数の様々な態様、実施形態および／または具体的な特徴または従属部品を通じて、説明から明らかとなる１つまたは複数の利点を引き出すことを意図している。本開示は、１つまたは複数の具体的な実施形態を、例示および例として参照する。それゆえ、用語、例、図面および実施形態は例示的なものであり、本開示の範囲の限定を意図しないことを理解されたい。
【００１２】
図１は、開示した原理に従って構成された使い捨て注射針カートリッジ１１０を含む、微細注射針穿刺装置または機器１００（「ペン」と呼ぶこともできる）の一実施形態の外部側面図を示す。機器１００は、電気モータおよび関連回路を収容する本体１２０を含み、外部に機器１００をオン／オフ動作させて機器１００の形式に応じた随意の速度に制御するための１つまたは複数のボタン１３０を含む。本体１２０はハンドル領域１４０も含み、ハンドル領域１４０は、機器１００の使用中に使用者が把持し易くするためのテクスチャ加工された表面を含むことができる。
【００１３】
本体１２０のうちハンドル領域１４０とは反対側の端部に、機器は、前方ハウジング１５０を含む。前方ハウジング１５０は、本体１２０内の電気モータの回転を往復する「出入り」運動に変換するカムシステムを見えないようにしており、往復する「出入り」運動は、注射針カートリッジ１１０内に収容された注射針ユニット１６０を駆動するために使用される。したがって、前方ハウジング１５０は、必要に応じて、カムシステムを補修するために、本体１２０の残部から取外し可能にすることができる。さらに、前方ハウジング１５０は、その遠位端に１つまたは複数の取付け機能１７０を含み、取付け機能１７０は、注射針カートリッジ１１０を機器１００の本体１２０に取外し可能に連結するように構成されている。そのような取付け機能（複数可）１７０は、図示したスナップ嵌め式のような任意の形式の取付け構成とすることができ、または必要に応じてねじ式にすることもできる。
【００１４】
使い捨て注射針カートリッジ１１０自体は、本体１２０に連結される近位端上のベース部分１８０と、その遠位端上の注射針ユニット１６０とを含む。注射針カートリッジ１１０の内部構造は、微細注射針穿刺機器１００のこの外観からは見えないが、以下で詳細に説明する。注射針カートリッジ１１０は、ベース部分１８０の遠位端に移動可能に連結された深さ調整スリーブ１９０も含む。有利な実施形態では、深さ調整スリーブ１９０は、本体１２０の近位端に雌ねじを含み、その一方、ベース部分１８０の遠位端は対応するねじを含む。カートリッジ１１０の深さ調整スリーブ１９０とベース部分１８０との間のこの形式のねじ係合により、スリーブ１９０は、機器１００の長手方向軸線の周りに回転して、機器１００に対してその長手方向の距離を変えることができる。スリーブ１９０が本体１２０に近付きまたはこれから遠ざかるにつれて、注射針ユニット１６０の注射針は、それぞれ、スリーブ１９０内から多かれ少なかれ露出すようになる。これにより、使用者は、機器１００の使用中にスリーブ１９０の遠位端を患者の皮膚に押し付けたとき、注射針が患者の皮膚を突き刺す所望の深さを「ダイヤルで調整する」ことができる。
【００１５】
さらに、スリーブ１９０をカートリッジ１１０のベース部分１８０に接続するねじのピッチは、注射針が非常に正確な深さに制御されように十分細かく選択することができる。その上、外部に位置するスリーブ１９０を介して注射針の深さを制御することによって、本体１２０からの注射針ユニットの距離を実際に調整することによって注射針の深さを制御する従来の機器とは対照的に、開示した深さ調整システムは、深さ調整構成部品間の遊びがほとんどまたは全くないために、はるかに単純であるのみならずはるかに正確である。したがって、開示した深さ調整システムは、より正確であるのみならず、そのより単純化したデザインによりそのような従来のシステムに比べて製造費用が大幅に削減し、ならびに潜在的な点検費用または修理費用を、そのような従来のシステムができなくても大幅に削減する。
【００１６】
図２は、開示した原理に従って構成された使い捨て注射針カートリッジ２００の一実施形態の側断面図を示す。注射針カートリッジ２００は、この場合もベース部分２０５、深さ調整スリーブ２１０および注射針ユニット２１５を含む。この実施形態では、深さ調整スリーブ２１０は、ねじ２０５ａを用いてベース部分２０５に回転可能に連結されている。上述したように、深さ調整スリーブ２１０をベース部分２０５にねじ式で取り付けることにより、使用者は、注射針ユニット２１５の注射針２１５ａが深さ調整スリーブ２１０の遠位端２１０ａを越えて長手方向に伸びる最大距離を正確に調整することができる。さらに、ベース部分２０５の外面に目盛スケール（図示しない）を、スリーブ２１０の近位端２１０ｂが目盛と並ぶように含むことができ、スケールは、カートリッジ２００が取り付けられた注射機器の使用中に、注射針２１５ａがスリーブ２１０の遠位端２１０ａを越えて伸びる具体的な最大距離を使用者に表示する。その上、上述したように、深さ調整スリーブ２１０をベース部分２０５に移動可能に連結する手段は、依然として本開示の広い範囲内に属しながら、摺動機構のような図示したねじ付き取付け手段とは異なることができる。
【００１７】
注射針カートリッジ２００は、ベース部分２０５を貫通して注射針ユニット２１５に取り付く往復駆動軸２２０も含む。図示した実施形態では、駆動軸２２０は、ねじ付き端部２２０ａを用いて注射針ユニット２１５に接続されているが、開示した原則の広い範囲内で、駆動軸２２０を注射針ユニット２１５に接続するための任意の形式の取付け手段も採用することができる。駆動軸２２０の近位端にある軸カム部材２２０ｂは、対応する駆動モータカム部材（図示しない）と係合するように構成されている。図１に示した実施形態で説明したように、使い捨てカートリッジ２００が取り付けられた微細注射針穿刺機器の本体内の駆動モータは、注射機器の動作時に回転する回転軸を含む。回転軸の遠位端は、駆動モータカム部材に、カム部材が駆動モータによって回転されるように取り付けられる。
【００１８】
カム機構内では、駆動モータカム部材の回転が軸カム部材２２０ｂに変換され、軸カム部材２２０ｂは、注射機器に対して長手方向に出たり入ったりする。カム機構によれば、駆動モータカム部材内に高低面を設けて、回転時に軸カム部材２２０ｂの底面に接触するのみでこれが達成できる。この回転中に、突出した高面が軸カム部材２２０ｂと接触するにつれて、駆動軸２２０は駆動モータカム部材から押しのけられる。逆に、もはや高い面が軸カム部材２２０ｂと接触しなくなると、駆動軸２２０は、コイルばね２３０を用いて微細注射針穿刺機器の本体に向かって押し戻され、軸カム部材２２０ｂは、今や駆動モータカム部材の低いかつ突出していない表面に接触する。次いで、再度軸カム部材２２０ｂが駆動モータカム部材の高いかつ突出した表面に出会うと、軸カム部材２２０ｂひいては駆動軸２２０は、再び微細注射針穿刺機器の本体から押しのけられ、それにより次にコイルばね２３０が縮み、コイルばね２３０は、必要に応じて駆動軸２２０に駆動軸２２０を機器の方に押し戻すのに必要な力を与えることができる。
【００１９】
カム機構が駆動軸２２０を微細注射針穿刺機器の本体に向かっておよびこれから遠ざかって移動させる度に、注射針ユニット２１５のベースに固定された往復駆動軸２２０は、それに対応して、注射針ユニット２１５をベース部分２０５およびスリーブ２１０の両方の中で注射機器の方に向かっておよびこれから遠ざかって往復運動させる。もちろん、駆動モータの軸の回転を駆動軸２２０の往復運動に変換するために用いる他の任意の形式の機構も、開示した原理に従う使い捨てカートリッジ２００とともに採用することができ、したがって説明した実施形態は単なる例示である。その結果、スリーブ２１０の遠位端２１０ａが皮膚の表面に接して保持されると、スリーブ内における注射針ユニット２１５のこの出入りにより次に、注射針２１５ａは、深さスリーブ２１０の遠位端２１０ａを越えて伸びおよび遠位端２１０ａの内部に引っ込む。微細注射針穿刺処置の間のカートリッジ２００の使用中に、このようにスリーブ２１０を越える伸びおよびスリーブ２１０内への引っ込みが連続すると、注射針ユニットの注射針２１５ａによって皮膚が突き刺されまたは引っ掻かれる。液体を注射する微細注射針穿刺処置においてカートリッジを使用する実施形態では、液体または他の物質は（例えば、注射針ユニット２１５内の流体貯蔵容器から注射針２１５ａのベースにある複数の液体排出孔を通るまで）、患者の皮膚に注射される。
【００２０】
ベース部分２０５は、さらに内部に、この図示した実施形態では２つの支持部材２３５ａ、２３５ｂを備える１つまたは複数の支持部材を含む。これらの支持部材２３５ａ、２３５ｂは、往復駆動軸２２０の調心ガイドを設けるために、ベース部分２０５の内面に固定することができる。その上、第１の支持部材２３５ａにはコイルばね２３０の遠位端のために遠位軸受面２３０ｂも設け、その一方、コイルばね２３０用の近位軸受面２３０ａは、駆動軸２２０自体の有利な位置に設けることができる。これらの軸受面２３０ａ、２３０ｂにより、コイルばね２３０は、駆動軸２２０が外方に移動するとき縮むことができ、ならびに縮んだばね２３０が駆動軸２２０をその往復運動中に内方に戻すために押す面が得られる。
【００２１】
さらに、これらの支持部材２３５ａ、２３５ｂは、駆動軸２２０が対応する直線構成の断面を有する実施形態では、駆動軸２２０が通過するための直線構成の開口を含むことができる。図２Ａを簡単に見ると、支持部材２３５ａ、２３５ｂの例示的な形状の上面図が示されている。具体的には、駆動軸２２０がベース部分２０５内で往復運動中に、駆動軸２２０が回転することを防止するのを助けるために、駆動軸２２０の断面は非円形状にすることができる。支持部材２３５ａ、２３５ｂは、この場合駆動軸２２０の断面に対応する形状とされた開口２４０を各々含み、その結果、駆動軸２２０は、支持部材２３５ａ、２３５ｂを相互に（長手方向に）移動させることができるが、駆動軸２２０が回転することは同様に防止される。開口２４０は、図示した実施形態では長方形状として示しているが、代わりに、正方形、三角形または他の任意の非円形形状のような他の任意の非円形形状を採用し、駆動軸２２０の断面は対応する形状とすることができる。その上、注射針ユニット２１５に取り付けられて駆動軸２２０の端部を受け入れる取付け端部２２０ａは、注射針ユニット２１５自体の伸びるベース部分とすることもでき、取付け端部２２０ａは、開口（複数可）を通過する非円形形状とすることができ、その一方、駆動軸２２０は一般的な丸い形状である。このような実施形態では、注射針ユニットの非円形の取付け端部または伸びるベース部分は、駆動軸および注射針ユニットが長手方向に往復するときに、依然として駆動軸が回転することを防止するのを助ける。このような実施形態を以下で図３および図３Ａを参照して説明する。
【００２２】
図２に戻って、ベース部分２０５は１つまたは複数の吸収部材をさらに含み、吸収部材は、患者の血液および患者の皮膚に注射すべき液体混合薬が、注射針ユニット２１５からベース部分２０５を通って微細注射針穿刺機器の本体に戻るのを防止する。具体的には、この例示的な実施形態では２つの吸収部材２５０ａ、２５０ｂを備える吸収部材は、それらの外径がベース部分２０５の内面に接触し、それらの内径が駆動軸２２０に接触するような大きさとされている。さらに、この実施形態では、吸収部材２５０ａ、２５０ｂは、各々対応する支持部材２３５ａ、２３５ｂの一方に接して置かれている。吸収部材２５０ａ、２５０ｂは、医療処置中に、開示した原理に従って設計されて構成された使い捨て注射針カートリッジ２００内に、注射針ユニットからベース部分２０５を通って注射機器の本体に戻ることがある、患者の皮膚から排出した血液ならびに何らかの注射液混合薬の逆流を防ぐための流体バリアとして設けられる。したがって、開示した原理は、単にカートリッジを微細注射針穿刺機器の本体から密封しようとするのではなく吸収部材を実際に提供し、吸収部材は、さもなければ注射針カートリッジを通って逆流するこのような何らかの流体を吸い取って保持する。簡単に図２Ａに戻って、支持部材２３５ａ、２３５ｂも対応する非円形形状とされた実施形態では、吸収部材２５０ａ、２５０ｂは、非円形形状の開口２４０を形成することもできる。もちろん、円形断面とされた駆動軸２２０を採用すれば、支持部材２３５ａ、２３５ｂおよび吸収部材２５０ａ、２５０ｂの両方は、対応する円形の開口を有することができる。
【００２３】
さらに、図２に示した２つの吸収部材２５０ａ、２５０ｂの使用のように、この技術に従って複数の吸収部材を採用することができる。さらに、このような複数の吸収部材の各々は、図２の例示的な実施形態でも設けられるように、異なる大きさまたは厚さで作ることができる。吸収部材を形成するために用いる材料は、これらの流体を吸収し得る任意の適切な材料とすることができ、それは、綿のような有機材料または合成材料である。重要なことには、注射針カートリッジに設けられたシールは、一般に、最大限の有効性を得るために可撓性であることが必要であるので、この制限によりそのようなシール材料のみを採用する注射針カートリッジに関する「貯蔵寿命」が生じることがある。より具体的には、シールのために一般に使用するゴムまたは他の同様の材料は、時が経つにつれて乾く（すなわち、「乾燥腐敗する」）ので、そのような注射針カートリッジの使用者は、シール／シール材料の使用前にこれらが元のままであるかどうか判定するのが困難なことがある。対照的に、開示した原理は吸収性流体バリアを提供するので、このようなバリアを備える注射針カートリッジがある期間にわたって載っているとき、吸収部材は乾く危険がなく、したがってそれらの吸収能力をいつまでも保つ。その結果、使用者は、本明細書に開示した注射針カートリッジを、流体バリアが劣化する危険がないと確信して使用することができる。
【００２４】
その上、開示した原理は、物質の逆流に対して単にシールを提供するのではなく、注射針カートリッジ内にそのような物質を吸収する液体バリアまたは流体バリアを設けることによって、カートリッジが微細注射針穿刺機器から取り外されても、このような逆流する液体も注射針カートリッジ２００から漏れにくいというさらなる利点を提供する。単にシールを設けるだけの従来の注射針カートリッジでは、逆流する液体は、依然としてカートリッジ内を流れることが多く、したがって注射針カートリッジが微細注射針穿刺機器に取り付けられている間にまたはそれが取り除かれた後でも、依然としてカートリッジの注射針ユニットの端部から漏れる可能性がある。このように注射針カートリッジの異なる領域から流れる危険が続くと、微細注射針穿刺機器への逆流を防止する以外に、不要な雑菌混入の危険がもたらされる。単なるシールではなく吸収バリアである液体バリアを設けることによって、このような継続する雑菌混入の危険も排除される。さらに、開示した吸収バリア技術は、必要に応じて、１つまたは複数のシールの使用と組み合わることもできる。
【００２５】
次に図３を参照すると、開示した原理に従って構成された使い捨て注射針カートリッジ３００の別の実施形態の側断面図が示されている。注射針カートリッジ３００のこの実施形態は、この場合もベース部分３０５と、深さ調整スリーブ３１０および注射針ユニット３１５とを含む。さらに、この実施形態は駆動軸３２０を含み、駆動軸３２０は、ベース部分３０５を貫通して注射針ユニット３１５のベースに取り付けられ、取り付けには同様に駆動軸に取り付けられた取付け部材３２０ａを用いる。駆動軸３２０の反対側の近位端（もカートリッジ３００が取り付けられた微細注射針穿刺機器に対しても近位端）には、以上で詳述したように、この場合も微細注射針穿刺機器（図示しない）の駆動モータの回転を駆動軸３２０の長手方向の往復運動に変換するために使用するカム部材３２０ｂが含まれる。
【００２６】
使い捨て注射針カートリッジ３００のこの実施形態は、この場合もコイルばね３３０を含み、コイルばね３３０は、注射針カートリッジ３００が取り付けられた微細注射針穿刺機器の本体に向かって駆動軸３２０を押し戻して、駆動軸３２０の往復運動を助ける。コイルばね３３０は、この場合も第１および第２の軸受面３３０ａ、３３０ｂの間に載り、軸受面３３０ａ、３３０ｂによりコイルばね３３０は、駆動軸３２０が外方に移動するとき縮むことができ、ならびに縮んだばね３３０が駆動軸３２０をその往復運動中に微細注射針穿刺機器に向かって内方に戻すために押す面が得られる。その上、この代わりの実施形態は、開示した原理に従って液体バリアを提供する単一の吸収部材３５０を含む。したがって、吸収部材３５０は、綿のような吸収材料から成ることができ、患者の血液および／または患者の皮膚に注射した液体混合薬が、注射針ユニット３１５からベース部分３０５を通って注射針カートリッジ３００を保持している微細注射針穿刺機器の本体内に戻ることを防止する。したがって、上記と同様に、吸収部材３５０は、その外径がベース部分３０５の内面に接触し、その内径が駆動軸３２０に接触するような大きさにすることができる。さらに、吸収部材３５０は、それが支持部材３３５ａの一方に接して置かれ、支持部材３３５ａを定位置に保持するのを助けるように配置できる。
【００２７】
しかしながら、さらに、使い捨て注射針カートリッジ３００のこの実施形態は、ここでは軸受部材３３０ａ、３３０ｂの外面に取り付けられたシール部材３６０を含む。より具体的には、この実施形態では、シール部材３６０の遠位端は第２の支持部材３３０ｂに対して密封され、第２の支持部材３３０ｂは次に第１の支持部材３３５ａに接して（これに連結され、または単にこれが形成されることによって）密封され、第１の支持部材３３５ａは次に、ベース部分３０５の内面に対して（この場合もこれ連結され、または単にこれとともに形成されることによって）密封されている。したがって、シール部材３６０のこの端部では、逆流する液体（複数可）は、駆動軸３２０と第１の支持部材３３５ａの開口との間の領域（複数可）を通過するのみであり、この領域は、シール部材３６０の遠位端によって密封されている。その上、シール部材３６０の近位端は、第１の軸受部材３３０ａに対して密封されており、第１の軸受部材３３０ａは次に、駆動軸３２０に接して密封されている。したがって、シール部材３６０のこの端部では、逆流する液体（複数可）は、シール部材３６０の近位端によって密封された第１の軸受部材３３０ａの上を通り越すのみである。したがって、吸収部材３５０によって提供される吸収バリアに加えて、シール部材３６０は、注射針カートリッジ３００のベースにさらなる液体／液体バリアとして設けられ、医療処置中に、患者の皮膚から排出された血液ならびに液体を注射する応用例における何らかの注射液体混合薬が、注射針ユニット３１５からベース部分３０５を通って微細注射針穿刺機器の本体に戻るように流れることがある逆流を防止するのをさらに助ける。
【００２８】
シール部材３６０を構成する材料は、気密シールまたは密閉シールを提供できる任意の有利な材料とすることができる。例えば、シール部材３６０は、ラテックス、イソプレン、ポリイソプレンおよび他の天然エラストマーのような一種類または複数種類の天然ゴム材料、ならびにスチレン−ブタジエンゴム（ＳＢＲ）および他の石油由来合成エラストマーのような一種類または複数種類の合成ゴム材料から作ることができる。もちろん、シール部材３６０に使用する材料、またはそれらの組み合わせを限定することは意図も暗示もしていない。したがって、必須ではないが、このようなシールは、開示した原理の特有の吸収バリアと組み合わせて、注射針ユニット３１５から使い捨て可能な注射針カートリッジ３００が取り付けられた微細注射針穿刺機器の本体に逆流する液体に対する、組合せ保護構造を提供することができる。
【００２９】
その上、この実施形態では、第２の支持部材３３５ｂは、使用中に駆動軸３２０が内方および外方に移動するとき、取付け部材３２０ａのうち第２の支持部材３３５ｂを貫通する一部を収容するように構成されている。加えて、図示した実施形態に見られるように、取付け部材３２０ａの外形は非円形形状に形成することができる。同様に、第２の支持部材３３５ｂのうち図３Ａに簡単に見える対応する開口３４０は、同じ非円形形状にすることができる。このように、第２の支持部材３３５ｂの開口３４０は、駆動軸３２０の往復運動中に開口３４０を通過する取付け部材３２０ａを収容しているので、これらの構成部品の対応する非円形形状は、駆動軸３２０がカートリッジ３００の長手方向軸線の周りに回転することを防止するのを助ける。開口３４０の非円形形状、ならびに取付け端部３２０ｂのうち開口３４０に収容されている部分の対応する外形は、長方形として図示しているが、開示した原理の範囲内において任意の非円形形状が広範に採用できることを理解されたい。図３Ｂを簡単に参照すると、使い捨て注射針カートリッジ３００のこの実施形態における第１の支持部材および／または吸収部材３５０の例示的な形状の上面図が示されている。図示するように、第１の支持部材３３５ａおよび／または吸収部材３５０の開口３４０ａは、駆動軸３２０の断面形状も円形である実施形態では円形にすることができる。しかしながら、前述したように、第１の支持部材３３５ａ／吸収部材３５０の開口と駆動軸３２０との間の対応する他の形状も採用することができる。
【００３０】
次に図４Ａを参照すると、開示した原理に従って構成された別の実施形態の使い捨て注射針カートリッジの分解図が示されている。さらに、図４Ｂは、図４Ａに示した使い捨て注射針カートリッジ４００の実施形態を組立状態において部分側断面図を示す。開示した原理に従う注射針カートリッジ４００のこの第３の実施形態は、この場合もベース部分４０５と、深さ調整スリーブ４１０および注射針ユニット４１５とを含む。さらに、この実施形態は、駆動軸４２０の取付け端４２０ｂを用いて注射針ユニット４１５のベースに取り付けられた駆動軸を含む。駆動軸４２０の反対側の近位端は、この場合もカム部材４２０ａを含み、カム部材４２０ａは、上述したように、カートリッジ４００のこの実施形態では液体注射機器（図示しない）である微細注射針穿刺機器内の駆動モータの回転を、駆動軸４２０の長手方向の往復運動に変換するために使用する。もちろん、図示したカートリッジ４００の実施形態は、非液体を注射する微細注射針穿刺装置とともに同様に使用することができる。
【００３１】
使い捨て注射針カートリッジ４００のこの実施形態は、この場合もコイルばね４３０も含み、コイルばね４３０は、注射針カートリッジ４００が取り付けられた微細注射針式液体注射機器の本体に向かって駆動軸４２０を押し戻して、駆動軸４２０の往復運動を助ける。コイルばね４３０は、この場合も第１および第２の支持面４３０ａ、４３０ｂの間に載り、軸受面４３０ａ、４３０ｂによりコイルばね４３０は、駆動軸４２０が外方に移動するとき縮むことができ、ならびに縮んだばね４３０が駆動軸４２０をその往復運動中に注射機器に向かって内方に戻すために押す面が得られる。しかしながら、この実施形態では、第２の軸受面４３０ｂは、シール部材４６０のベースに配置されている。このシール部材４６０は、駆動軸４２０上に位置決めされたシールスリーブ４６０として設けられる。そのような実施形態では、シールスリーブ４６０は、加硫ゴムまたはプラスチックなどの剛性または半剛性材料、あるいはシリコーンなどの軟質材料から形成することができる。さらに、シールスリーブ４６０は、コイルばね４３０に十分な弾力性を提供するために、第２の軸受面４３０ｂなどを部分的に剛性材料で形成することができ、および図３を参照して以上に開示したシール材料の何れかのように駆動軸４２０により良好なシール特性を提供するように、部分的に非剛性材料で形成することができる。
【００３２】
その上、この実施形態は、シールスリーブ４６０と比較して、さらなる液体バリアより正確には吸収バリアを提供する、第１および第２の吸収部材４５０ａ、４５０ｂを含む。従って、上記と同様に、吸収部材４５０ａ、４５０ｂは、綿のような吸収材料から成ることができ、患者の血液および患者の皮膚に注射した液体混合薬が、注射針ユニット４１５からベース部分４０５を通って注射針カートリッジ４００を保持している微細注射針穿刺機器の本体内に戻ることを防止する。同じく上記と同様に、吸収部材４５０ａ、４５０ｂは、それらの外径がベース部分４０５の内面に接触し、それらの内径が駆動軸４２０に接触するような大きさにすることができる。このような実施形態では、駆動軸４２０は、図示するように円形の断面とすることができ、その一方、吸収部材４５０ａ、４５０ｂはこれらを貫通する対応する円形の開口を有する。代わりに、前述したように、駆動軸４２０または駆動軸４２０のうち注射針ユニット４１５への取付け部分は非円形形状とすることができ、吸収部材４５０ａ、４５０ｂは対応する非円形開口を有する。この例示した実施形態では、第１の吸収部材４５０ａは、シールスリーブ４６０の遠位端と、ベース部分４０５の内径に接触する大きさとされた単一の支持部材４３５との間に位置決めされている。さらに、この実施形態の支持部材４３５は、第２の吸収部材４５０ｂを所望の位置に保持するために使用する把持機構４３５ａを含む。
【００３３】
次いで、第２の吸収部材４５０ｂの上に、注射針ユニット４１５を内蔵する液体貯蔵容器４６５が、直接にまたは単に近接して置くことができる。貯蔵容器４６５は、カートリッジ４００を保持する液体注射微細注射針穿刺機器を使用している間に患者の皮膚に注射される液体（複数可）を保持するために使用され、液体は、液体分配開口４６５ａを通って貯蔵容器４６５内に分配することができる。入れ墨をしまたはコラーゲンを注射するためのように患者の皮膚上で使用する間に、液体(複数可)は、注射針ユニット４１５を通り、深さ調整スリーブ４１０を越えて伸びている注射針４１５ａ上に至る。ベース部分４０５に対して深さスリーブ４１０を位置決めするために用いるねじは、図４Ａに見ることができ、ならびにベース部分４０５の外面に配置されて使用者に注射針４１５ａの正確な最大距離を提供する目盛り４０５ａが、微細注射針穿刺機器の使用中に深さ調整スリーブ４１０を越えて伸びている。最後に、本発明の使い捨て注射針カートリッジ４００のこの実施形態では、保護キャップ４７０をも設けて、注射針４１５ａを覆うだけでなく、貯蔵容器４６５内に存在することがある液体に対するシールを提供することもできる。
【００３４】
次に図５を参照すると、開示した原理に従って構成された使い捨て注射針カートリッジ５００の別の実施形態のさらに側断面図が示されている。注射針カートリッジ５００のこの実施形態は、この場合もベース部分５０５と、深さ調整スリーブ５１０および注射針ユニット５１５とを含む。しかしながら、この実施形態では、ベース部分は、第１のベース部分５０５ａおよび第２のベース部分５０５ｂから成る。図示するように、２つのベース部分５０５ａ、５０５ｂは、２つの異なる外径で製造することができる。しかしながら、２つのベース部分５０５ａ、５０５ｂは、必要に応じて、依然として単一の一体部品として製造することができる。
【００３５】
他の実施形態と同様に、この実施形態はこの場合も駆動軸５２０を含み、駆動軸５２０は、２つのベース部分５０５ａ、５０５ｂを通過し、駆動軸にも取り付けられた取付け部材５２０ａを用いて注射針ユニット５１５のベースに取り付けられる。駆動軸５２０の反対側の近位端（カートリッジ５００が取り付けられた微細注射針穿刺機器に対してこの場合も近位端）は、この場合もカム部材５２０ｂを含み、カム部材５２０ｂは、以上で詳述した微細注射針穿刺機器（図示しない）内の駆動モータの回転を駆動軸５２０の長手方向の往復運動に変換するために使用する。
【００３６】
使い捨て注射針カートリッジ５００のこの実施形態は、この場合もコイルばね５３０を含み、コイルばね５３０は、注射針カートリッジ５００が取り付けられた微細注射針穿刺機器の本体に向かって駆動軸５２０を押し戻して、駆動軸５２０の往復運動を助ける。コイルばね５３０は、この場合も第１および第２の軸受面５３０ａ、５３０ｂの間に置かれ、軸受面５３０ａ、５３０ｂによりコイルばね５３０は、駆動軸５２０が外方に移動するとき縮むことができ、ならびに縮んだばね５３０が駆動軸５２０をその往復運動の間に微細注射針穿刺機器に向かって内方に戻すために押す面が得られる。その上、この代わりの実施形態は、開示した原理に従って液体バリアを提供する単一の吸収部材５５０を含む。したがって、吸収部材５５０は、綿のような吸収材料から成ることができ、患者の血液および／または患者の皮膚に注射した液体混合薬が、注射針ユニット５１５からベース部分５０５を通って注射針カートリッジ５００を保持している微細注射針穿刺機器の本体内に戻ることを防止する。したがって、上記と同様に、吸収部材５５０は、それらの外径が第１のベース部分５０５ａの内面に接触し、その内径が駆動軸５２０に接触するような大きさにすることができる。さらに、吸収部材５５０は、支持部材５３５ａの一方に接して置かれ、支持部材５３５ａを定位置に保持するのを助けるように配置できる。
【００３７】
さらに、使い捨て注射針カートリッジ５００のこの実施形態は、軸受部材５３０ａ、５３０ｂの外面に取り付けたシール部材５６０も含む。上記と同様に、シール部材５６０の遠位端は第２の支持部材５３０ｂに対して密封され、第２の支持部材５３０ｂは、次に第１の支持部材５３５ａに接して（これに連結され、または単にこれが形成されることによって）密封され、第１の支持部材５３５ａは、次に第１のベース部分５０５ａの内面に対して（この場合もこれに連結され、または単にこれが形成されることによって）密封されている。したがって、シール部材５６０のこの端部では、逆流する液体（複数可）は、駆動軸５２０と第１の支持部材５３５ａの開口との間の領域（複数可）を通過するだけであり、領域は、シール部材５６０の遠位端によって密封されている。その上、シール部材５６０の近位端は、第１の軸受部材５３０ａに対して密封されており、第１の軸受部材５３０ａは、次に駆動軸５２０に接して密封されている。したがって、シール部材５６０のこの端部では、逆流する液体（複数可）は、シール部材５６０の近位端によって密封された第１の軸受部材５３０ａを通り越すのみである。したがって、吸収部材５５０によって提供される吸収バリアに加えて、シール部材５６０は、注射針カートリッジ５００のベースにさらなる流体／液体バリアとして設けられ、微細注射針経皮処置中に、患者の皮膚から排出した血液ならびに何らかの注射液体混合薬が、注射針ユニット５１５からベース部分５０５を通って微細注射針穿刺機器の本体に戻る逆流をさらに防止するのを助ける。
【００３８】
シール部材５６０を構成する材料は、気密シールまたは密閉シールを提供できる任意の有利な材料とすることができる。例えば、シール部材５６０は、ラテックス、イソプレン、ポリイソプレンおよび他の天然エラストマーのような一種類または複数種類の天然ゴム材料（複数可）、ならびにスチレン−ブタジエンゴム（ＳＢＲ）および他の石油由来合成エラストマーのような一種類または複数種類の合成ゴム材料から作ることができる。もちろん、シール部材５６０に使用する材料、またはそれらの組み合わせを限定することは意図も暗示もしていない。したがって、必須ではないが、このようなシールは、開示した原理の特有の吸収バリアと組み合わせて、注射針ユニット５１５から使い捨て可能な注射針カートリッジ５００が取り付けられた微細注射針穿刺機器の本体に逆流する液体に備える組合せ保護構造を提供することができる。
【００３９】
その上、この実施形態では、第２の支持部材５３５ｂは、使用中に駆動軸５２０が内方および外方に移動するとき、取付け部材５２０ａのうち第２の支持部材５３５ｂを貫通する一部を収容するように構成されている。加えて、図示した実施形態と同様に、取付け部材５２０ａの外形は、この場合も非円形形状に形成することができる。同様に、第２の支持部材５３５ｂのうち図５Ａに簡単に見える対応する開口５４０は、同じ非円形形状にすることができる。したがって、第２の支持部材５３５ｂの開口５４０は、駆動軸５２０の往復運動中に開口５４０を通過する取付け部材５２０ａを収容しているので、これらの構成部品の対応する非円形形状は、駆動軸５２０がカートリッジ５００の長手方向軸線の周りに回転することを防止するのを助ける。開口５４０の非円形形状、ならびに取付け端部５２０ｂのうち開口５４０に収容されている部分の対応する外形は、長方形として図示しているが、開示した原理の範囲内において任意の非円形形状が広範に採用できることを理解されたい。さらに、次に図５Ｂを簡単に参照すると、第１の支持部材５３５ａおよび吸収部材５５０は、これらを貫通する駆動軸５２０の断面形状に対応する円形の開口５４０ａを有することができる。他の実施形態では、これらの構成部品は、カートリッジ５００の使用中に注射針ユニット５１５の回転を防止するのを助けるために、これに加えてまたはこれに代えて、非円形の断面形状／開口形状とすることができる。さらに他の実施形態では、適用可能な構成部品の全てが単に対応する円形形状とされているだけである。
【００４０】
図５に示す穿刺カートリッジ５００の実施形態はまた、前記実施形態と比べて、深さ調整スリーブ５１０が、第２のベース部分５０５ｂの外面上ではなく内部に収容されるように構成されている点で異なる。そのため、深さ調整スリーブ５１０の近位端の外面ならびに第２のベース部分５０５ｂの遠位端の内面にねじ５０５ｃが形成されている。他の実施形態と同様に、深さ調整スリーブ５１０をベース部分５０５ｂにねじ式に取り付けることにより、使用者は、注射針ユニット５１５の注射針５１５ａが深さ調整スリーブ５１０の遠位端５１０ａを越えて長手方向に伸びる最大距離を正確に調整することができる。したがって、深さ調整スリーブ５１０の外面に目盛スケール（図示しない）を、第２のベース部分５０５ｂの遠位端が深さ調整スリーブ５１０の外面の目盛と並ぶように含めることができ、目盛は、カートリッジ５００が取り付けられた注射機器の使用中、使用者に注射針５１５ａがスリーブ５１０の遠位端５１０ａを越えて伸びる注射針５１０ａの特定の最大距離を表示する。同じく前記と同様に、深さ調整スリーブ５１０をベース部分５０５ｂに移動可能に連結する手段は、図示したねじ付き取付け手段とは異なることができるが、依然として本開示の広い範囲内にある。
【００４１】
ここで、図６Ａおよび図６Ｂをまとめて参照すると、開示した原理に従って構成された使い捨て注射針カートリッジ６００のさらに別の実施形態の通常の側面図および側断面図がそれぞれ示されている。注射針カートリッジ６００のこの実施形態は、この場合もベース部分６１０と、深さ調整スリーブ６０５および注射針ユニット６１５とを含む。ベース部分６１０の一端は、調整スリーブ６０５内に、例えばねじ接続部を介して移動可能に接続されている。その上、この実施形態では、調整スリーブ６０５は、保持リング６０５ａと協働して、ベース部分６１０を所定の位置に保持し、ならびにベース部分６１０が余計に伸びることを防ぐ。図６Ｃは、使い捨て注射針カートリッジ６００のこの実施形態の分解図を示す。この分解図から、注射針カートリッジ６００を構成する個々の構成部品の各々の詳細、ならびにそれらを組み立てて完成したカートリッジ６００にする方法の１つが分かる。
【００４２】
他の実施形態と同様に、この実施形態はこの場合も駆動軸６２０を含み、駆動軸６２０は、ベース部分６１０および調整スリーブ６０５を貫通し、駆動軸６２０の取付け端に取り付けられた取付け部材を用いて注射針ユニット６１５のベースに取り付けられる。駆動軸６２０の反対側の近位端（カートリッジ６００が取り付ける微細注射針穿刺機器に対してこの場合も近位端）は、この場合もカム部材６２０ｂを含み、カム部材６２０ｂは、以上で詳述したように、微細注射針穿刺機器（図示しない）内の駆動モータの回転を駆動軸６２０の長手方向の往復運動に変換するために使用する。
【００４３】
使い捨て注射針カートリッジ６００のこの実施形態は、この場合もコイルばね６３０も含み、コイルばね６３０は、注射針カートリッジ６００が取り付ける微細注射針穿刺機器の本体に向かって駆動軸６２０を押し戻して、駆動軸６２０の往復運動を助ける。コイルばね６３０は、この場合も第１および第２の軸受面６３０ａ、６３０ｂの間に位置し、軸受面６３０ａ、６３０ｂによりコイルばね６３０は、駆動軸６２０が外方に移動するとき縮むことができ、ならびに縮んだばね６３０が駆動軸６２０をその往復運動の間に微細注射針穿刺機器に向かって内方に戻すために押す面が得られる。その上、この実施形態は、開示した原理に従って液体バリアを提供する単一の吸収部材６５０を含む。したがって、吸収部材６５０は、綿のような吸収材料から成ることができ、患者の血液および／または患者の皮膚に注射した液体混合薬が、注射針ユニット６１５からベース部分６１０を通って注射針カートリッジ６００を保持している微細注射針穿刺機器の本体内に戻ることを防止する。したがって、前記と同様に、吸収部材６５０は、その外径がベース部分６１０の内面に接触し、その内径が駆動軸６２０に接触するような大きさにすることができる。
【００４４】
いくつかの実施形態では、この場合も注射針ユニット６１５を内蔵する液体貯蔵容器６６５を採用することができる。前述したように、このような貯蔵容器６６５は、カートリッジ６００を保持する液体注射微細注射針穿刺機器を使用している間に患者の皮膚に注射される液体(複数可)を保持するために使用され、液体は、液体分配開口を介して貯蔵容器６６５に分配することができる。この実施形態においても、他の実施形態と同様に保護キャップ６７０が設けられ、注射針６１５ａを覆うだけでなく、貯蔵容器６６５内に存在することがある液体のためのシールを提供することもできる。
【００４５】
加えて、この使い捨て注射針カートリッジ６００の実施形態は、軸受部材６３０ａ、６３０ｂの外面に取り付けられたシール部材６６０も含む。前記と同様に、シール部材６６０の遠位端は第２の軸受部材６３０ｂに対して密封され、第２の軸受部材６３０ｂは、次に調整スリーブの支持部材に接して（これに連結され、または単にこれに形成されるだけによって）密封されている。したがって、シール部材６６０のこの端部では、逆流する液体（複数可）は、駆動軸６２０と支持部材の開口との間の領域（複数可）を通過するだけであり、領域は、シール部材６６０の遠位端によって密封されている。この支持部材がベース部分６１０よりもむしろ調整スリーブ６０５の内部構造の一部であることが、この実施形態の別の特有の特徴である。その上、シール部材６６０の近位端は第１の軸受部材６３０ａに対して密封されており、第１の軸受部材６３０ａは、次に駆動軸６２０に接して密封されている。したがって、シール部材６６０のこの端部において、逆流する液体(複数可)は、シール部材６６０の近位端によって密封されている第１の軸受部材６３０ａを通り抜けるだけである。したがって、吸収部材６５０によって提供される吸収バリアに加えて、シール部材６６０は、注射針カートリッジ６００のベースにさらなる流体／液体バリアとして設けられ、微細注射経皮処置中に、患者の皮膚から排出した血液ならびに何らかの注射液体混合薬が、注射針ユニット６１５からベース部分６１０を通って微細注射針穿刺機器の本体に戻る逆流をさらに防止するのを助ける。
【００４６】
シール部材６６０を構成する材料は、この場合も気密シールまたは密閉シールを提供できる任意の有利な材料とすることができる。例えば、シール部材６６０は、ラテックス、イソプレン、ポリイソプレンおよび他の天然エラストマーのような一種類または複数種類の天然ゴム材料（複数可）、ならびにスチレン−ブタジエンゴム（ＳＢＲ）および他の石油由来合成エラストマーのような一種類または複数種類の合成ゴム材料から作ることができる。もちろん、シール部材６６０に使用する材料、またはそれらの組み合わせを限定することは意図も暗示もしていない。したがって、必須ではないが、このようなシールは、開示した原理の特有の吸収バリアと組み合わせて、注射針ユニット６１５から使い捨て可能な注射針カートリッジ６００が取り付けられた微細注射針穿刺機器の本体に逆流する液体に対する組合せ保護構造を提供することができる。
【００４７】
穿刺カートリッジ６００のこの実施形態も、前記実施形態と比べて、深さ調整スリーブ６０５がベース部分６１０の近位端を収容するように構成されている点が異なる。そのため、ベース部分６１０の近位端の外面ならびに調整スリーブ６０５の遠位端の内面にねじが形成されている。他の実施形態と同様に、ベース部分６１０を調整スリーブ６０５にねじ式で取り付けることにより、使用者は、注射針ユニット６１５の注射針６１５ａがベース部分６１０の遠位端を越えて長手方向に伸びる最大距離を正確に調整することができる。したがって、ベース部分６１０の外面に目盛スケール６１０ａを、調整スリーブ６０５の遠位端（保持リング６０５ａが配置されている）がベース部分６１０の外面の目盛と並ぶように含めることができ、目盛は、カートリッジ６００が取り付けられた注射機器の使用中に、使用者に注射針６１５ａがベース部分６１０の遠位端を越えて伸びる特定の最大距離を表示する。同じく前記と同様に、深さ調整スリーブ６０５がベース部分６１０に移動可能に連結される手段は、図示したねじ付き取付け手段とは異なるが、依然として本開示の広い範囲内にある。
【００４８】
次に図７Ａおよび図７Ｂに移ると、開示した原理に従って構成された使い捨て注射針カートリッジ７００の別の実施形態が示されている。カートリッジ７００のこの実施形態には、微細注射針穿刺処置において注射針を使用している間に、カートリッジの注射針を通して高周波（ＲＦ）エネルギを放出する能力がある。図７Ａは、使い捨てＲＦ注射針カートリッジ７００の例示的な実施形態の分解図を示し、図７Ｂは、完全に組み立てたＲＦ注射針カートリッジ７００を示す。
【００４９】
注射針カートリッジ７００のこのＲＦ実施形態は、ＲＦ注射針カプセル７１０を収容して保持するために使用されるハウジング７０５を含む。ＲＦ注射針カプセル７１０は、ハウジング７０５の遠位端内に収容され、収容したＲＦ注射針カプセル７１０の上に安全キャップ７７０が設けられ、ＲＦ注射針カプセル７１０から突出した注射針（図示しない）を安全に覆うことができる。ＲＦカートリッジ７００は、ハウジング７０５が取り付けられたベース７１５も含む。ベース７１５は、前述した駆動軸と同様の駆動軸７２０を収容するように構成されている。駆動軸７２０はベース７１５を貫通するように構成されており、例示した実施形態では、駆動軸７２０は、ベース７１５を通ってはまり合う開口に対応する非円形の断面とされている。他の実施形態と同様に、駆動軸７２０はその近位端にカム部材７２０ａを含むことができ、カム部材７２０ａは、前述したように、ＲＦ注射針カートリッジ７００が取り付けられた微細注射針穿刺機器（図示しない）内の駆動モータの回転を駆動軸７２０の長手方向の往復運動に変換するために使用する。非円形の駆動軸７２０とベース７１５の対応する開口とは、協働して、駆動軸７２０がベース７１５内で往復運動する間に、駆動軸７２０が回転するのを防止する。ベース７１５内の開口の非円形形状、ならびに開口に収容された駆動軸７２０の対応する外形は、長方形として示されているが、開示した原理の範囲内で任意の非円形形状が採用できることを理解されたい。駆動軸７２０の遠位端は、ＲＦ注射針カプセル７１０の近位端上のマウント７１０ａにもつながるように構成され、それによって機器の使用中に駆動軸７２０の長手方向の往復運動をＲＦ注射針カプセル７１０の長手方向の往復に変換する。この場合も、駆動軸７２０の近位端の上に、前述したシールのようなシール７６０を設けることができ、シール７６０は、軸の往復運動を助けるためのコイルばね（図示しない）を含む。
【００５０】
使い捨て注射針カートリッジ７００のこの実施形態のベース７１５は、図示したように互いに対して移動可能な少なくとも２つの部品で形成することもできる。そのような移動可能な部品の接続により両部品は互いに対してねじることができ、それにより次に、注射針カプセルの深さを調整することができる。そのような実施形態では、ベース７１５のそのような構成部品の一方は、目盛７１５ａを含むことができ、構成部品の他方は、目盛７１５ａと整列する他の山形模様または印を有する。したがって、ベース７１５の２つの構成部品を互いにねじると、注射針カプセル７１０は、ハウジング７０５内で目盛７１５ａによって示された量だけ長手方向に移動することができる。このようにＲＦ注射針カプセル７１０をハウジング７０５内で長手方向に移動することにより、微細注射針穿刺処置の間のＲＦカートリッジ７００の使用中に、注射針カプセル７１０の遠位端にある注射針がハウジング７０５の遠位端を越えて伸びる量が調整される。このようにカプセル７１０の注射針の深さを調整するためにねじる構成が示されているが、ハウジング７０５の遠位端を越える注射針の深さを調整するための他の構成が採用できることを理解されたい。
【００５１】
その上、使い捨てカートリッジ７００のこのＲＦ実施形態は、この場合も単一の吸収部材７５０を含み、吸収部材７５０は、開示した原理に従って、以上に詳述した他の非ＲＦエネルギ式実施形態に示す液体バリアを提供する。上記と同様に、吸収部材７５０は、綿のような吸収材料から成ることができ、患者の血液および／または患者の皮膚に注射した液体混合薬が、ＲＦ注射針カプセル７１０からハウジング７０５を通ってベース７１５に戻り、それによってＲＦ注射針カートリッジ７００を保持する微細注射針穿刺機器の本体に戻ることを防止する。したがって、吸収部材７５０は、その外径がＲＦ注射針カプセル７１０を保持するハウジング７０５の内面に接触し、その内径が駆動軸７２０、および駆動軸７２０の遠位端に取り付くように構成された注射針カプセル７１０の近位端の機能に接触するような大きさにできる。さらに、吸収部材７５０は、ＲＦ注射針カプセル７１０の往復運動の間適所にとどまるように、ハウジング７０５の近位端壁に接して配置することができる。
【００５２】
さらに、いくつかの実施形態では、吸収部材７５０の内径は、駆動軸７２０の断面とはまり合うように非円形にすることができ、それによって往復駆動軸７２０に接する吸収バリアを提供することができる。他の実施形態では、吸収バリア７５０の内径は、ＲＦ注射針カプセル７１０の近位端に形成された駆動軸マウント７１０ａを収容するように構成することができる。さらに他の実施形態では、吸収バリア７５０の内径は、一側面で駆動軸７２０の外径に接触するように構成され、他側面で駆動軸マウント７１０ａに接触するように構成することができる。さらに、２つの吸収バリア７５０を採用して、一方の内径は、駆動軸７２０の外径に接触するように構成され、他方は、駆動軸マウント７１０ａに接触するように構成され、２つの吸収バリアは並んで位置決めすることができる。しかしながら、開示した原理に従うＲＦエネルギ注射針カートリッジは、そのような吸収バリア（複数可）なしに構成することもでき、このような実施形態は、依然として本明細書に開示した微細注射針穿刺処置中にＲＦエネルギを放出する利点を維持することを理解されたい。
【００５３】
次に図８図および８Ｂを参照すると、開示した原理に従うＲＦ注射針カプセル７１０の一実施形態の拡大図が示されている。図８Ａは、組み立てたＲＦ注射針カプセル７１０を示す一方、図８Ｂは、ＲＦ注射針カプセル７１０の分解図であり、その中の構成部品を示している。
【００５４】
ＲＦ注射針カプセル７０１内の構成部品にはバッテリ８１０がある。バッテリ８１０は、カプセルハウジング８０５内に滑り嵌めするような大きさに選択することができ、大きさは、例示的な実施形態ではサイズ２７Ａにすることができる。もちろん注射針カプセル７１０の大きさが様々な微細注射針穿刺応用例に合わせて変更されるにつれて、他の形式および大きさのバッテリを採用することができる。バッテリ８１０の遠位端に、発振器プリント回路基板（ＰＣＢ）８１５が接触している。発振器ＰＣＢ８１５は、微細注射針穿刺への応用中にＲＦ注射針カプセル７１０に加えられる、ＲＦエネルギを生成するように構成された発振器回路を備えている。微細注射針穿刺処置中に、例えば、約６２ミリジュールエネルギの低エネルギＲＦ信号を使用すれば、組織を切除することなく、またはそうでなければ治療される皮膚を損傷することなく、人間の皮膚の治療プロセスを進めることが示されている。したがって、発振器ＰＣＢ８１５は、バッテリ８１０によって給電されるとき、およびカプセル７１０の注射針８３０が人に接触して皮膚のインピーダンスを使用するとき、そのような低エネルギを生成するように構成可能である。さらに、発振器回路は、微細注射針穿刺機器の使用中に調整可能に構成することもできる。こうしてこの調整により、微細注射針穿刺処置中に生成されて皮膚に加えられるＲＦエネルギを上げまたは下げることができる。
【００５５】
発振器ＰＣＢ８１５によって生成されたＲＦエネルギをカプセル７１０の注射針に伝達するために、注射針接触ＰＣＢ８２０も含めることができる。注射針接触ＰＣＢ８２０は、発振器ＰＣＢ８１５からＲＦエネルギを受け取り、そのエネルギを注射針接触ＰＣＢ８２０からその上にある接触領域またはパッドを介して注射針８３０に分配するように構成されている。例示的な実施形態では、注射針８３０は注射針接触ＰＣＢ８２０を通過し、注射針接触ＰＣＢ８２０の開口が注射針８３０にＲＦエネルギを伝達し、その一方、他の実施形態では、注射針８３０の近位端は、単に注射針接触ＰＣＢ８２０上のパッドに接触するだけである。注射針ユニット８２５は、注射針８３０を保持するために注射針カプセル７１０に含まれている。注射針ユニット８２５は、スナップ嵌め、ねじ結合、接着剤または任意の他の形式の接続を介してカプセルハウジング８０５につながるように構成することができる。その上、注射針ユニット８２５は液体貯蔵容器８３５を含むことができる。前述したように、貯蔵容器８３５は、カートリッジ７００を保持した液体注射微細注射針穿刺機器の使用中に患者の皮膚に注射される液体(複数可)を保持するように構成されている。入れ墨をしまたはコラーゲンを注射するためのような患者の皮膚上での使用中に、液体(複数可)は、注射針ユニット８２５を通り、カプセル７１０の遠位端から伸びている注射針８３０に至る。
【００５６】
次に図９Ａおよび図９Ｂを参照すると、図８Ａおよび図８Ｂに示した開示した原理に従うＲＦ注射針カプセル７１０の一実施形態の側面図が示されている。図９Ａは、ＲＦ注射針カプセル７１０を組立て状態で示す側面図であり、図９Ｂは、組み立てたＲＦ注射針カプセル７１０の線９Ａ−９Ｂに沿って取り出した側断面図を示す。
【００５７】
断面図である図９Ｂは、カプセル７１０が微細注射針穿刺ペンまたは同様の機器（図示しない）に微細注射針穿刺応用例で使用するために結合の準備ができている、ＲＦ注射針カプセル７１０のこの実施形態の各構成部品の位置を示す。図９Ａは、カプセルハウジング８０５の近位端内にかつその近位端に向いて（上述したように、使用のためにＲＦ注射針カプセル７１０が取り付けられた微細注射針穿刺機器に近接して）に位置しているバッテリ８１０を示す。バッテリ８１０のこの位置決めにより、バッテリ８１０の一方の端子をハウジング８０５内に電気的に連結する電気接触が得られる。バッテリ８１０の遠位端において、ＲＦ発振器ＰＣＢ８１５は、ＲＦ注射針カプセル７１０を組み立てたとき、バッテリ８１０の対向する端子端部に電気的に接触するように配置されている。バッテリのさらに遠位には注射針接触ＰＣＢ８２０が配置され、注射針接触ＰＣＢ８２０は、ＲＦ発振器ＰＣＢ８１５と電気的に接触するように位置決めされて、発振器回路によって生成されたＲＦエネルギを受け取る。ＲＦ注射針カプセル７１０のさらに遠位端に、微細注射針穿刺手術のために複数の注射針８３０を含む注射針ユニット８２５がある。これらの注射針は、ＲＦ発振器ＰＣＢ８１５からＲＦエネルギを受け取るために、注射針接触ＰＣＢ８２０と電気的に接触して配置されている。その低ＲＦエネルギは、次に注射針８３０を介して、微細注射針穿刺手術を受ける患者の皮膚に伝達可能である。液体貯蔵容器８３５は、注射針ユニット８２５内にも示されており、微細注射針穿刺処置中に用いる液体（複数可）は、注射針８３０に近接して注射針ユニット８２５の遠位端または最上部に形成された１つまたは複数の開口を通って注射針ユニット８２５から患者の皮膚に入れることができる。
【００５８】
断面図である図９Ｂは、実際にＲＦ注射針カプセル７１０の様々な構成部品の間にあるわずかな間隔を示すが、このような空間は、各構成部品の間の明確な区別を示すために単に説明を明確化するのみであることを理解されたい。しかしながら、ＲＦ注射針カプセル７１０の製造された実施形態では、バッテリ８１０の近位端子端部とカプセルハウジング８０５との間、ならびにバッテリ８１０の遠位端子端部とＲＥ発振器ＰＣＢ８１５との間、ＲＦ発振器ＰＣＢ８１５と注射針接触ＰＣＢ８２０との間、および注射針接触ＰＣＢ８２０と注射針ユニット８２５の注射針８３０との間に、物理的なひいては電気的な接触が存在する。加えて、いくつかの実施形態では、必要に応じて、カプセル７１０のそのような任意の構成部品間または全ての構成部品間に、電気接点および／または電気回路を設けることもできる。さらに、構成部品のうち１つまたは複数の間にまたは回路に電気スイッチが設けられ、ＲＦ注射針カプセル７１０を微細注射針穿刺応用例に使用する間、ＲＦ発振器回路８１５を手動でオン／オフすることができる。
【００５９】
次に図１０Ａおよび図１０Ｂに移ると、図７Ａおよび図７Ｂに示した使い捨てＲＦ注射針カートリッジの側面図が組立て状態で、図９Ａおよび図９Ｂに示したＲＦ注射針カプセル７１０を組み込んで示されている。図１０Ａは、使い捨てＲＦ注射針カートリッジ７００の側面図を組立て状態で示し、その一方、図１０Ｂは、ＲＦ注射針カートリッジ７００を線１０Ａ−１０Ｂに沿って取り出した側断面図を示す。
【００６０】
前述したように、使い捨てＲＦ注射針カートリッジ７００のこの実施形態は、ＲＦ注射針カプセル７１０を収容して保持するために使用するハウジング７０５、ならびにハウジング７０５の近位端にあるベース７１５、およびハウジングの遠位端にありＲＦ注射針カプセル７１０から突出する注射針８３０を安全に覆うための安全キャップ７７０を含む。ベース７１５を駆動軸７２０が通過しており、駆動軸７２０は、吸収バリア７５０も通過して、ＲＦ注射針カプセル７１０の近位端においてマウント７１０ａにつながっている。駆動軸７２０はその近位端にカム部材７２０ａを含み、カム部材７２０ａは、前述したように、ＲＦ注射針カートリッジ７００が取り付けられた微細注射針穿刺機器（図示しない）の駆動モータの回転を、駆動軸７２０の長手方向の往復運動に変換する。非円形の駆動軸７２０とベース７１５の対応する開口とは、協働して、駆動軸７２０がベース７１５内で往復運動する間に、駆動軸７２０が回転するのを防止する。駆動軸７２０の遠位端をマウント７１０ａに取り付けることによって、機器の使用中に、駆動軸７２０の長手方向の往復運動をＲＦ注射針カプセル７１０の長手方向の往復運動に変換する。駆動軸７２０の近位端上に前述したシールのようなシール７６０が設けられ、シール７６０は、軸の往復運動を助けるコイルばねを含む。
【００６１】
使い捨て注射針カートリッジ７００のベース７１５は、図示したように２つの部品から形成することもでき、第２の部品７１５ｂは、ベース７１５内の挿入フィッティングであり、したがって互いに対して移動可能である。この実施形態ではこれらの二部品を接続したので、両部品は互いに対してねじることができ、それにより次にハウジング７０５の遠位端に対する注射針カプセル７１０の深さを調整することができる。このように、ベース７１５の２つの構成部品が互いに対してねじられるので、注射針カプセル７１０は、ハウジング７０５内で目盛（図示しない）によって示した量だけ長手方向に移動することができる。このように、ＲＦ注射針カプセル７１０がハウジング７０５内で長手方向に移動することにより、微細注射針穿刺処置の間のＲＦカートリッジ７００の使用中に、注射針カプセル７１０の遠位端にある注射針がハウジング７０５の遠位端を越えて伸びる量が調整される。
【００６２】
断面図である図１０Ｂには、単一の吸収部材７５０も示されており、吸収部材７５０は、以上で詳述したように液体バリアを提供する。吸収部材７５０は、綿などの吸収性材料から構成することができ、患者の血液および／または患者の皮膚に注射した液体混合薬が、ＲＦ注射針カプセル７１０からハウジング７０５を通ってベース７１５に戻り、ひいてはＲＦ注射針カートリッジ７００を保持する微細注射針穿刺機器の本体に至ることを防止する。したがって、吸収部材７５０は、その外径がＲＦ注射針カプセル７１０を保持するハウジング７０５の内面に接触し、その内径が駆動軸７２０と接触するような大きさにすることができる。さらに、吸収部材７５０は、ハウジング７０５の近位端壁に接して配置することができ、または吸収部材７５０は、図示したようにハウジング７０５の端部からわずかに離間することができる。しかしながら、前述したように、開示した原理に従うＲＦエネルギ注射針カートリッジは、そのような吸収バリア（複数可）なしに構成することもでき、このような実施形態は、依然として本明細書に開示した微細注射針穿刺処置中にＲＦエネルギを放出する利点を維持する。
【００６３】
図１０Ｂは、カプセルハウジング８０５の近位端内にこれに向けて配置されたバッテリ８１０、ならびにＲＦ発振器ＰＣＢ８１５、注射針接触ＰＣＢ８２０、および注射針ユニット８２５も示す。バッテリ８１０の近位端はハウジング８０５の近位端において接点と電気的に接触し、その一方、バッテリ８１０の遠位端はＲＦ発振器ＰＣＢ８１５と電気的に接触している。ＲＦ発振器ＰＣＢ８１５には、上述したように発振器回路によって生成されたＲＦエネルギを受け取る注射針接触ＰＣＢ８２０が電気接触している。ＲＦ注射針カプセル７１０のさらに遠位端に、微細注射針穿刺手術のために使用する複数本の注射針８３０を含む注射針ユニット８２５がある。これらの注射針８３０は、ＲＦ発振器ＰＣＢ８１５からＲＦエネルギを受け取るために、注射針接触ＰＣＢ８２０と電気的に接触して配置されている。そのＲＦエネルギは、次に注射針８３０を介して微細注射針穿刺手術を受ける患者の皮膚に伝達される。液体貯蔵容器８３５は、注射針ユニット８２５内にも示されており、微細注射針穿刺処置中に用いる液体(複数可)は、注射針ユニット８２５から患者の皮膚に入れることができる。
【００６４】
次に図１１を参照すると、開示した原理に従って設計されて構成されたＲＦ微細注射針穿刺機器１１００（前述したように微細注射針穿刺ペンと呼ぶこともできる）の別の実施形態の側断面図が示されている。ＲＦ針穿刺機器１１００を構成する部品には、本体１１０５、バッテリカプセル１１１０、ＲＦ注射針穿刺カートリッジ１１１５がある。開示した原理に従う例示的なＲＦ微細注射針穿刺機器は、追加のまたはより少ない構成部品を含むことができ、両方の場合とも機器１１００の各区分内にあり、または全体として機器１１００の部分を構成するが、依然として開示した原理の範囲に属することに留意されたい。
【００６５】
図示したバッテリカプセル１１１０の実施形態は、バッテリカプセルハウジング１１１０ａ内に、バッテリ１１２０と、この実施形態ではバッテリ管理ＰＣＢ１１２５であるバッテリ管理回路とを含む。バッテリ１１２０の大きさは、この場合もバッテリカプセルハウジング１１１０ａ内に滑り嵌めするように選択され、それは、例示的な実施形態ではサイズ１８６５０または１８５００とすることができる。もちろん、ＲＦ微細注射針穿刺機器１１００は、様々な微細注射針穿刺応用例に合わせて設計されて構成されているので、バッテリの他の形式、大きさ、電圧および／または容量を採用することができる。バッテリ１１２０の近位端にバッテリ管理ＰＣＢ１１２５が存在し、この実施形態において「近位」は、機器１１００の本体１１０５の位置決めに関して定義される。バッテリ管理ＰＣＢ１１２５は、バッテリ１１２０の近位端子端に電気的に接触するように位置決めすることができ、または中間の電気回路および／または電気接点ならびに他の相互接続部を採用することもできる。バッテリ１１２０の遠位端子に接触するために電気接点も含まれ、その遠位端子をバッテリ管理ＰＣＢ１１２５に電気的に接続する。
【００６６】
機器１１００の本体１１０５は、バッテリカプセル１１１０がつながるように構成された本体ハウジング１１０５ａを含む。いくつかの実施形態では、バッテリカプセル１１１０は、ねじ式または回転式の連動接続部などによって、本体ハウジング１１０５ａに取外し可能に連結することができる。バッテリ１１２０が本体ハウジング１１０５ａから着脱可能であることによって、必要に応じてバッテリ１１２０にアクセスして交換することができる。他の実施形態では、代わりにバッテリカプセルハウジング１１１０ａが、必要に応じて、バッテリ１１２０にアクセスするためにそれ自体の取外し可能な部分を有し、例えば、バッテリカプセルハウジング１１１０ａの遠位端は、バッテリ１１２０にアクセスするために取り外すことができる。さらに他の実施形態では、必要に応じて、バッテリカプセル１１１０は、単に全体として本体１１０５から完全に取り外され交換されるように設計することができる。
【００６７】
機器１１００は、本体ハウジング１１０５内に電気モータ１１３０を含み、電気モータ１１３０は、バッテリ１１２０によって給電され、多くの実施形態において、注射針カートリッジ１１１５の構成部品ならびに機器１１００の残りの部品を駆動するために使用する。微細注射針穿刺機器１１００のこの実施形態における注射針カートリッジ１１１５は、機器の本体１１０５に取外し可能に接続され、この場合も使い捨て注射針カートリッジ１１１５として製造することができる。さらに、注射針カートリッジ１１１５は二部品構造で設けることができ、二部品構造は、この実施形態では深さ調整スリーブ１１１５ｂと、これに嵌合する注射針カートリッジハウジング１１１５ａである。そのような実施形態においてこれら二部品を接続したことにより、両部品は互いに対してねじることができ、それにより次に、上記実施形態で述べたように、注射針カートリッジ１１１５の遠位端に対する機器の注射針の深さを調整することができる。このように、注射針カートリッジ１１１５のこれらの２つの構成部品１１１５ａ、１１１５ｂを互いに対してねじるにつれて、注射針ユニット（以下でさらに述べる）は、カートリッジ１１１５内で目盛（図示しない）によって示した量だけ長手方向に移動することができる。このように、注射針ユニットが注射針カートリッジハウジング１１１５ａ内において長手方向に移動することにより、微細注射針穿刺処置の間のＲＦ機器１１００の使用中に、注射針カートリッジ１１１５の遠位端にある注射針がハウジング１１１５ａの遠位端を越えて伸びる量が調整される。
【００６８】
本体ハウジング１１０５内には、電気モータ１１３０の回転を注射針カートリッジ１１１５内の注射針ユニットの移動に変換するためにリンク機構１１３５もある。この実施形態では、リンク機構１１３５はカムシステムにすることができ、カムシステムは、本体１１０５内にある電気モータ１１３０の回転を往復する「出入り」運動に変換して、注射針ユニットを駆動するために使用する。より具体的には、必要に応じてこの場合も非円形断面とされた駆動軸１１４０が、注射針カートリッジ１１１５から伸びて本体ハウジング１１０５ａ内に達している。リンク機構１１３５は、それゆえ駆動軸１１４０の近位端に、対応するモータカム部材と係合するように構成された軸カム部材を含むことができる。前述したように、駆動モータ１１３０は、機器１１００の動作中に回転するロータ軸を含む。ロータ軸の遠位端は、遠位端が駆動モータ１１３０によって回転されるように、モータカム部材に取り付けられる。モータカム部材の回転は、リンクカム機構１１３５内で、軸カム部材が機器１１００に対して長手方向に出入りするように軸カム部材に変換される。上述したように、カム機構１１３５は、モータカム部材内に高い面および低い面を含むことができ、高い面および低い面は、軸カム部材が回転するときこの軸カム部材の底面に接触する。この回転中に、突出する高い面が軸カム部材と接触すると、駆動軸１１４０はモータカム部材から押しのけられ、高い面がもはや軸カム部材に接触しなくなると、コイルばね（図示しない）を用いて駆動軸１１４０を本体１１０５に向かって押し戻すことができ、結果として軸カム部材は、今やモータカム部材の低いかつ突出していない表面に接触する。２つのカム部材のこの係合は、駆動軸１１４０の往復運動を生成し続ける。他の実施形態では、駆動軸１１４０と駆動モータ１１３０との間のリンク機構１１３５または手段は、異なるデザインにすることができる。より具体的には、ギヤ駆動機構を採用することができる。そのような実施形態により、駆動軸１１４０は、駆動モータ１１３０の回転軸と非平行に並べることができる。図１２に示しかつ以下で詳しく説明する微細注射針穿刺機器がそのような実施形態を提供する。
【００６９】
本体１１０５内には、前述したように、微細注射針穿刺処置中に使用できるＲＦエネルギを生成するためにＲＦ発生器回路１１４５も含まれている。この実施形態では、ＲＦ発生器回路１１４５はＲＦ発振器ＰＣＢ１１４５ａを含む。上述したように、発振器ＰＣＢ１１４５ａは、ＲＦエネルギを生成するように構成された発振器回路を備えており、ＲＦエネルギは、ＲＦベースの微細注射針穿刺処置中に、ＲＦ注射針カートリッジ１１１５に加えられる。例示的な実施形態では、ＲＦ発生器回路１１４５は、１ＭＨｚかつ２５０〜４００ＶＡＣ（ピークからピークで）でＲＦエネルギを生成するように構成された高電圧ＲＦエネルギ発生器である。発振器ＰＣＢ１１４５ａは、バッテリ１１２０によって給電されてこのような低いＲＦエネルギを生成し、したがって機器１１００内にはバッテリ管理回路１１２５とＲＦ発生器回路１１４５との間に追加の電気接点および／または回路１１２５ａを設けることもできる。上記と同様に、ＲＦ発生器回路１１４５は、微細注射針穿刺機器の使用中に調整可能に構成することができるので、こうして発生したＲＦエネルギを上げまたは下げて、微細注射針穿刺処置中に皮膚に加えることもできる。その上、ＲＦ微細注射針穿刺機器１１００のこの実施形態では、単一の発振器ＰＣＢ１１４５ａのみが示されているが、より多くのＰＣＢを採用することができ、または他の形式の電気回路も採用可能であることを理解されたい。
【００７０】
発振器ＰＣＢ１１４５ａによって発生したＲＦエネルギを注射針カートリッジ１１１５に伝達するために、機器１１００内に変圧器１１４５ｂを設けることができる。この実施形態では、変圧器１１４５ｂを注射針カートリッジ１１１５内に位置決めしているが、変圧器１１４５ｂは、本体１１１５またはバッテリカプセル１１１０内のような機器１１００の他の部分内に位置決めすることもでき、これはＲＦ発生回路１１４５にも当てはまることを理解されたい。さらに、必要に応じて、複数の変圧器を設けることもできる。発振器ＰＣＢ１１４５ａのような、ＲＦ発生回路１１４５と変圧器１１４５ｂとの間に設けられた電気相互接続部１１４５ｃも含むことができる。そのような相互接続部１１４５ｃには、機器１１００の様々な構成部品間に設けられた電気接続部を含めることができる。この例示的な実施形態では、このような電気接続部は、ＲＦ発生回路１１４５は注射針カートリッジ１１１５に配置された変換器（複数可）１１４５ｂとは異なる機器構成部品であるため、本体１１０５と注射針カートリッジ１１１５との間に設けられる。
【００７１】
注射針カートリッジ１１１５内には、注射針接触ＰＣＢ１１５０も存在する。注射針接触ＰＣＢ１１５０は、発振器ＰＣＢ１１４５ａで発生して相互接続部１１４５ｃを介して変圧器１１４５ｂに電気的に伝達されるＲＦエネルギを受け取るように構成されている。エネルギが変圧器１１４５ｂから注射針接触ＰＣＢ１１５０に供給されると、注射針接触ＰＣＢ１１５０は、そのＲＦエネルギを注射針カートリッジ１１１５の注射針に分配する。より具体的には、注射針カートリッジ１１１５はこの場合も注射針ユニット１１５５を含み、注射針ユニット１１５５は次に、患者に微細注射針穿刺処置を行なうために注射針ユニット１１５５から伸びている複数の注射針１１５５ａを有する。注射針ユニット１１５５の近位端は、駆動軸１１４０の遠位端につながるように構成することができ、それによって機器１１００の使用中に駆動軸１１４０とともに往復運動する。その上、注射針ユニット１１５５は、この場合も微細注射針穿刺機器１１００の使用中に患者の皮膚に注射される何らかの液体(複数可)を保持するように構成された液体貯蔵容器１１５５ｂを含むことができる。機器がＲＦベースの微細注射針穿刺処置で使用されるとき、注射針接触ＰＣＢ１１５０は、注射針接触端子ＰＣＢ１１５０からのＲＦエネルギを、注射針接触ＰＣＢ１１５０上の接触領域またはパッドを介して注射針１１５５ａに分配する。前述したように、注射針１１５５ａは注射針接触ＰＣＢ１１５０を通過して、注射針接触ＰＣＢ１１５０の開口が注射針１１５５ａにＲＦエネルギを伝達するように構成することができ、その一方、他の実施形態では、注射針１１５５ａの近位端は、単に注射針接触ＰＣＢ１１５０上のパッドに接触する。その低いＲＦエネルギは、次に注射針１１５５ａを通って、ＲＦベースの微細注射針穿刺処置を受けている患者の皮膚に伝達可能である。
【００７２】
その上、前述したように、ＲＦ微細注射針穿刺機器１１００の様々な構成部品間にある図示したあらゆる空間は、各構成部品の間の区別するために単に説明を明確化するのみであることを理解されたい。しかしながら、機器１１００の様々な構成部品の製造された実施形態では、このような多くの構成部品間には物理的および／または電気的な接触がある。さらに、いくつかの実施形態では、機器１１００のそのような任意の構成部品間または全ての構成部品間に電気接点、相互接続部、および／または回路を設けることもできる。さらに、機器１１００は、さらにＲＦ発生回路１１４５にオン／オフスイッチ１１４５ｄを含むことができ、結果として機器１１００の使用者は、各々の特定の応用例に伴ってＲＦエネルギを使用するかどうかを選択することができる。もちろん、このような起動スイッチは、必要に応じて、転送回路の内部のような他の回路または機器の構成部品内に含めることができる。その上、スイッチ１１４５ｄまたはＲＦ発生回路１１４５の追加の構成部品は、発生したＲＦエネルギの量またはレベルを調整するために１つまたは複数の構成部品を含むことができる。このようなＲＦエネルギ調整用の構成部品(複数可)を機器１１００に含めることにより、機器１１００の使用者は、発生しこうして注射針１１５５ａに供給されたＲＦエネルギの量を各特定の応用例に伴って具体的に調整することができる。さらに、電源が再充電可能なバッテリ１１２０である実施形態では、機器１１００は、バッテリ１１２０を再充電するための回路１１１０ｂも含むことができる。例えば、そのような再充電回路１１１０ｂをバッテリ管理回路１１２５に含めることができ、または図示したような別個の回路として設けて両者の間に電気相互接続部を設けることができる。さらに、そのような再充電回路１１１０ｂは、バッテリ１１２０をワイヤレス充電するように構成することもできる。
【００７３】
さらに、電源カプセル１１１０に含まれる電源１１２０に加えて、注射針穿刺カートリッジ１１１５内に第２の電源１１２０ａを設けることができる。このような実施形態では、第２の電源１１２０ａは、第１の電源（例えば、バッテリ１１２０）と電気的に協働して作用して、機器１１００およびその中の構成部品に給電することができる。一実施形態では、一方の電源は、ＲＦ発生回路１１４５に独立して給電するように構成され、他方の電源は、駆動モータ１１３０および他の構成部品に給電するように構成されている。代わりに、このような第２の電源は、電源カプセル１１１０内のバッテリ１１２０によって供給されるエネルギを上げるために使用することができる。例えば、前述したように、発生したＲＦエネルギは、約１ＭＨｚかつ２５０−４００ＶＡＣ（ピークからピークで）とすることができる。しかしながら、機器１１００の駆動モータ１１３０に給電可能でありかつこの高電圧を供給するバッテリ１１２０を採用すると、手持ち式微細注射針穿刺機器１１００にとっては大きすぎる可能性がある。したがって、第２の電源１１２０ａは、ＲＦエネルギを発生するのに必要な高電圧を供給可能であり、その一方、バッテリ１１２０は、機器１１１０の他の構成部品を駆動できるようにし、バッテリ１１２０の容量を、駆動モータ１１３０およびＲＦ発生回路１１４５の両方に給電するのに必要な容量よりも小さくすることができる。こうして、第２の電源１１２０ａは、バッテリ１１２０からの電力を、それがＲＦ発生回路１１４５に給電するのに十分であるように上げるために使用することができる。より具体的な実施形態では、このような第２の電源１１２０ａは、図示したように注射針カートリッジ１１１５に含めることができる。このような実施形態では、ＲＦ発生回路１１４５は、注射針カートリッジ１１１５内に移動することもできるが、これは必須ではない。さらに、このような注射針カートリッジ１１１５内の第２の電源１１２０ａも再充電可能に構成することができ、したがって第２の電源１１２０ａのための別個のバッテリ管理回路は、注射針カートリッジ１１１５または機器１１００の別の構成部品に設けることもできる。
【００７４】
微細注射針穿刺機器１１００のこの実施形態に設けられたＲＦエネルギ提供回路１１４５および関連する構成部品に加えて、この実施形態は、この場合も詳細に前述したように、機器１１００を用いる微細注射針穿刺処置中に液体バリアを提供する吸収バリア１１６０を含む。図示するように、注射針カートリッジ１１１５を通過する駆動軸１１４０は、注射針カートリッジ１１１５内に位置する吸収バリア１１６０も通過する。図１１の実施形態では、注射針カートリッジ１１１５を患者に使用する間に、単一の吸収部材１１６０は、注射針カートリッジ１１１５を逆に通る液体の逆流に対するバリアを備える。前記実施形態と同様に、吸収部材１１６０は、綿のような吸収材料から成り、患者の血液および／または患者の皮膚に注射した液体混合薬（すなわち、当初は注射針ユニット１１５５の貯蔵容器１１５５ｂ内に保持されていた）が、ＲＦ注射針カートリッジ１１１５の遠位端から機器１１００の本体１１０５に向かって逆流するのを防止する。例示的な実施形態では、吸収部材１１６０は、その外径が注射針カートリッジハウジング１１１５ａの内面に接触し、その内径が駆動軸１１４０に接触するような大きさにすることができる。その上、吸収部材１１６０は、注射針カートリッジハウジング１１１５ａの近位端壁に接して配置することができ、または吸収部材１１６０は、ハウジング１１５５ａのその端部からわずかに離間することができる。さらに、前述したように、１つよりも多い吸収バリア１１６０を注射針カートリッジ１１１５に設けることができる。上記実施形態で説明したシールのようなシール（図示しない）は、駆動軸１１４０の近位端上に設けることもでき、駆動軸１１４０は、この場合機器１１００の動作中に駆動軸１１４０の往復運動を助けるために使用するコイルばね（図示しない）も含むことができる。
【００７５】
次に図１２を参照すると、開示した原理に従って設計され構成されたＲＦ微細注射針穿刺機器１２００のさらに別の実施形態の側断面図が示されている。ＲＦ微細注射針穿刺機器１２００のこの実施形態は、この場合も本体１２０５、電源カプセル１２１０、および注射針穿刺カートリッジ１２１５を含む。しかしながら、この実施形態は、図１１に示した実施形態と比べて、注射針カートリッジ１２１５が本体１２０５の長手方向軸線に対して角度をなしてずれている点で異なる。本明細書で説明している他の実施形態と同様に、開示した原理に従う例示的なＲＦ微細注射針穿刺機器は、追加のまたはより少ない構成部品を含むことができ、両方の場合とも機器１２００の各区分内にあり、または全体として機器１２００の部分を備えている。
【００７６】
バッテリカプセル１２１０のこの実施形態は、カプセルハウジング１２１０ａ内に、バッテリ１２２０と、この実施形態ではこの場合もバッテリ管理ＰＣＢ１２２５であるバッテリ管理回路とを含む。バッテリ１２２０の大きさは、この場合もバッテリサイズ１８６５０または１８５００のように、バッテリカプセルハウジング１２１０ａ内に滑り嵌めするように選択することができる。もちろん、ＲＦ微細注射針穿刺機器１２００は、様々な微細注射針穿刺応用例に合わせて設計されて構成されているため、バッテリの他の形式、大きさ、電圧および／または容量を採用することができる。この実施形態では、バッテリ管理ＰＣＢ１２２５は、バッテリ１２２０の遠位端に配置され、「遠位」は、この場合も本体１２０５の位置決めに関して定義されている。バッテリ管理ＰＣＢ１２２５は、図示したように、バッテリ１２２０の遠位端子に電気的に接触するように位置決めすることができ、または中間電気接点を採用することができる。追加の電気相互接続部１２２５ａが採用されて、電力管理ＰＣＢ１２２５をバッテリ１２２０の近位端子に電気的に接続すること、ならびに機器１２００の回路１２４５を制御することもできる。
【００７７】
より具体的には、機器１２００の本体１２０５は、バッテリカプセル１２１０が接続するように構成された本体ハウジング１２０５ａを含む。前記と同様に、バッテリカプセル１２１０は、本体ハウジング１２０５ａに取外し可能に連結することができ、こうして必要に応じてバッテリ１２２０にアクセスして交換することができる。他の実施形態では、代わりにバッテリカプセルハウジング１２１０ａは後部を有することができ、後部は、この実施形態ではバッテリ１２２０にアクセスするために取り外し可能なバッテリ管理ＰＣＢ１２２５に近接している。その上、本体ハウジング１２０５ａ内には電気モータ１２３０があり、電気モータ１２３０は、後述するように、バッテリ１２２０によって給電され、注射針カートリッジ１２１５内の構成部品を駆動するために使用される。
【００７８】
前述したように、本体１２０５内には、微細注射針穿刺処置中に使用できるＲＦエネルギを発生するためのＲＦ発生器回路１２４５も示されている。ＲＦ発生器回路１２４５は、この場合もＲＦ発振器ＰＣＢを含むことができ、ＲＦ発振器ＰＣＢは、この場合も、ＲＦベースの微細注射針穿刺処置中にＲＦ注射針カートリッジ１２１５に加えられるＲＦエネルギを発生するように構成された発振回路を備えることができる。ＲＦ発生器回路１２４５は、バッテリ１２２０によって給電することができ、したがって機器１２００内には、バッテリ管理回路１２２５とＲＦ発生器回路１２４５との間に追加の電気接点および／または回路１２２５ａも設けることができる。ＲＦ発生器回路１２４５が発生したＲＦエネルギを注射針カートリッジ１２１５に伝達するために、機器１２００内に変圧器１２４５ｂを設けることができる。この実施形態では、変圧器１２４５ｂは本体１２０５内に位置決めされているが、変圧器１２４５ｂは、例えば注射針カートリッジ１２１５またはバッテリカプセル１２１０内のような機器１２００の他の部分に位置決めすることができ、これはＲＦ発生回路１２４５にも当てはまることを理解されたい。さらに、必要に応じて、多数の変圧器を設けることもできる。本体１２０５には、ＲＦ発生回路１２４５と変圧器１２４５ｂならびに注射針カートリッジ１２１５との間に設けた電気相互接続部１２４５ｃも含まれている。前述したように、ＲＦ微細注射針穿刺機器１２００の様々な構成部品間にある図示した空間は、各構成部品の間の区別を示すために単に説明を明確化するのみである。しかしながら、機器１２１０の様々な構成部品の製造された実施形態では、このような多くの構成部品間に物理的および／または電気的接触が存在する。加えて、いくつかの実施形態では、機器１２００のそのような任意の構成部品間または全ての構成部品間に、電気接点、相互接続部および／または回路を設けることもできる。
【００７９】
さらに、機器１２００は、ＲＦ発生回路１２４５に接続されたオン／オフスイッチ１２４５ｄをさらに含み、結果として機器１２００の使用者は、各々の特定の応用例に伴ってＲＦエネルギを使用するかどうかを選択することができる。スイッチ１２４５ｄまたはＲＦ生成回路１２４５の追加の構成部品は、発生するＲＦエネルギの量またはレベルを調整するための１つまたは複数の構成部品も含むこともできる。機器１２００にこのようなＲＦエネルギ調整構成部品を含めることにより、機器１２００の使用者は、発生してこうして注射針１２５５ａに供給されるＲＦエネルギの量を各特定の応用例に伴って具体的に調整することができる。さらに、電源が再充電可能なバッテリ１２２０である実施形態では、機器１２００は、バッテリ１２２０を再充電するための回路１２１０ｂも含むことができる。例えば、図示しているように、そのような再充電回路１２１０ｂをバッテリ管理回路１２２５に含めて、二部品間に電気相互接続部を設けることができる。さらに、そのような再充電回路１２１０ｂは、バッテリ１２２０をワイヤレス充電するように構成することもできる。
【００８０】
本体ハウジング１２０５内には、電気モータ１２３０の回転を注射針カートリッジ１２１５内の注射針ユニット１２５５の移動に変換するためのリンク機構１２３５も存在する。この実施形態では、連結機構１２３５は、本体１２０５内の電気モータ１２３０の回転を、注射針ユニット１２５５を駆動するために用いる往復運動に変換する、歯車付きシステムにすることができる。より具体的には、必要に応じてこの場合も非円形断面にできる駆動軸１２４０は、注射針カートリッジ１２１５を通って伸び、注射針ユニット１２５５で終端する。リンク機構１２３５は、一連の歯車および相補的な機械的構成部品を含むことができ、これらは、駆動軸１２４０の近位部分と機械的に相互接続して、駆動軸１２４０をこのやり方で移動させる。例えば、駆動モータ１２３０のロータは、そのピニオン歯車として傘歯車を含むことができ、傘歯車は、この場合リンク機構１２３５内の歯車付き機構を駆動する。リンク機構１２３５の出力は、次いで例えばウォームギア接続部で駆動軸１２４０につながり、駆動軸１２４０を往復運動させる。
【００８１】
微細注射針穿刺機器１２００のこの実施形態の注射針カートリッジ１２１５も、機器の本体１２０５に取外し可能に接続され、この場合も使い捨て注射針カートリッジ１２１５として製造することができる。さらに、注射針カートリッジ１２１５は、この場合もここでは注射針カートリッジ１２１５の後部に位置決めされた深さ調整機構１２１５ｂを含むことができる。上述したように、深さ調整機構１２１５ｂは、注射針カートリッジ１２１５の遠位端に対する機器の注射針の深さを調整する。したがって、深さ調整機構１２１５ｂが回転されると、注射針ユニット１２５５は、この場合もカートリッジ１２１５内で目盛（図示しない）によって示した量だけ長手方向に移動する。このように注射針ユニット１２５５が注射針カートリッジハウジング１２１５ａ内で長手方向に移動することにより、微細注射針穿刺処置の間のＲＦ機器１２００の使用中に、注射針カートリッジ１２１５の遠位端にある注射針１２５５ａがハウジング１２１５ａの遠位端を越えて伸びる量が調整される。注射針カートリッジ１２１５内には、注射針接触ＰＣＢ１２５０も存在することができる。注射針接触ＰＣＢ１２５０は、この場合もＲＦ発生器回路１２４５から発生し、相互接続部１２４５ｃを介して変圧器１２４５ｂに電気的に伝達されるＲＦエネルギを受け取るように構成することができる。エネルギが変圧器１２４５ｂから注射針接触ＰＣＢ１２５０に供給されると、注射針接触ＰＣＢ１２５０は、この場合もそのＲＦエネルギを注射針カートリッジ１２１５の注射針１２５５ａに投薬する。そのＲＦエネルギは、次いで注射針１２５５ａを通って、ＲＦベースの微細注射針穿刺処置を受ける患者の皮膚に伝達可能である。
【００８２】
しかしながら、注射針カートリッジ１２１５のこの実施形態は、それが機器の本体１２０５に角度構成でつながるように構成されているので特有である。より具体的には、例えば、機器１２００の使用中に駆動軸１２４０が沿って往復並進する注射針カートリッジ１２１５の長手方向軸線は、本体１２０５の長手方向軸線および電源カプセル１２１０に対して、平行ではなく斜めに位置決めされている。上述したリンク機構１２３５は、駆動モータ１２３０のロータと駆動軸１２４０との間の機械相互接続部を提供する。いくつかの実施形態では、注射針カートリッジハウジング１２１５ａは本体と一体にすることができ、注射針カートリッジ１２１５は、その場合そのハウジング１２１５ａ内に収容することができる。このような実施形態では、注射針カートリッジ１２１５を交換するとき、注射針カートリッジ１２１５は、一体的に形成されたハウジング１２１５ａからそのまま滑り落ち、次に殺菌した新しいカートリッジ１２１５がハウジング１２１５ａ内に設置される。代わりの実施形態では、注射針カートリッジ１２１５はハウジング１２１５ａを含み、ハウジング１２１５ａは、この場合ハウジング１２１５ａを本体１２０５に取外し可能に接続できるようにする締め機構を含む。このような締め機構は、本体１２０５上の協働するスナップ留め機能に対応するスナップ留め機能とすることができ、または締め機構は、本体１２０５および注射針カートリッジハウジング１２１５ａの両方に配置された係合機能が協働するスライド−ロックデザインにして、注射針カートリッジ１２１５が本体１２０５上で摺動して本体１２０５の適所にロックできるようにする。このような実施形態では、ハウジング１２１５ａを本体１２０５からスナップ外ししまたは滑らせることによって、注射針カートリッジ１２１５全体がハウジング１２１５ａとともに本体１２０５から切り離される。もちろん、本体１２０５と注射針カートリッジハウジング１２１５ａとの間に他の機械的接続部を採用して、機器１２００のこれらの２つの構成部品間に取外し可能な接続部を設けることもできる。
【００８３】
さらに、前記と同様に、電源カプセル１２１０に含まれる電源１２２０に加えて、注射針穿刺カートリッジ１２１５内に第２の電源（図示しない）を設けることができる。前記と同様に、そのような実施形態では、第２の電源１２２０ａは、第１の電源（例えば、バッテリ１２２０）と電気的に協働して作用して、機器１２００およびその中の構成部品に給電することができる。例えば、第２の電源は、ＲＦ発生回路１２４５に独立して給電するように構成することができ、その一方、バッテリ１２２０は、駆動モータ１２３０およびその関連部品に給電するように構成されている。代わりに、前述したように、このような第２の電源は、電源カプセル１２１０内のバッテリ１２２０によって供給されるエネルギを上げるために使用することができる。さらに、第２の電源１２２０ａも再充電可能に構成することができ、したがって第２の電源１２２０ａ用の別個のバッテリ管理回路を電源カプセル１２１０または機器１２００の別の構成部品に設けることもできる。
【００８４】
開示した原理の他の実施形態と同様に、微細注射針穿刺機器１２００のこの実施形態は、詳細に前述したように、この場合も機器１２００を用いる微細注射針穿刺処置中に液体バリアを提供する吸収バリア１２６０を含むことができる。図示するように、注射針カートリッジ１２１５内の駆動軸１２４０は、このような吸収バリア１２６０も通過し、それにより機器１２００を患者に使用している間に、注射針カートリッジ１２１５を逆に通って本体１２０５に至る液体逆流に対するバリアが得られる。前記実施形態と同様に、吸収部材１２６０は、綿のような吸収材料から成り、患者の血液および／または患者の皮膚に注射した液体混合薬がＲＦ注射針カートリッジ１２１５の遠位部分から機器１２００の本体１２０５に向かって戻るのを防止する。例示的な実施形態では、吸収部材１２６０は、この場合もその外径が注射針カートリッジハウジング１２１５ａの内面と接触し、その内径が駆動軸１２４０と接触するような大きさとすることができる。さらに、同じく前述したように、１よりも多い吸収バリア１２６０を注射針カートリッジ１２１５に設けることができる。
【００８５】
本明細書に開示した発明の主題の多数の実施形態において、本明細書では、そのような実施形態は、単に便宜のためにしかも１つよりも多い実施形態が実際に開示されている場合、この出願の範囲をいかなる単一の発明または発明概念に自発的に限定することを意図することなく、個々におよび／または共同で、「発明」という用語によって指すことができる。したがって、本明細書には具体的な実施形態が図示され説明されているが、同じ目的を達成するように計算されたあらゆる構成が、示した具体的な実施形態と置き換わり得ることを理解されたい。この開示は、様々な実施形態の任意のおよび全ての応用例または変形をカバーすることを意図している。上記実施形態の組み合わせ、および本明細書に具体的に記載されていない他の実施形態は、上記説明を検討すれば当業者には明らかである。
【００８６】
添付した要約書は、読者が技術的開示の性質を素早く確認できるように要約を要求する 37 C.F.R. §1.72(b) を順守するために記載されている。要約書は、それが特許請求の範囲の範囲または意味を解釈または制限するために使用しないことを理解して提出している。さらに、上記詳細な説明において、開示を効率化する目的で、様々な機能が単一の実施形態において一緒にグループ化されていることが分かる。この開示の方法は、請求された実施形態が各請求項に明示的に記載された特徴よりも多くの特徴を必要とするという意図を反映すると解釈されるべきではない。むしろ、特許請求の範囲が示すように、発明の主題は、開示した単一の実施形態における全ての特徴よりも少ない特徴に存する。したがって、以下の特許請求の範囲は、発明の詳細な説明に組み込まれ、各請求項は別個の実施形態として自立している。
【００８７】
説明は複数の例示的な実施形態を参照して行なった。しかしながら、用いた文言は、限定文言ではなく、説明および例示のためであることを理解されたい。添付した特許請求の範囲内において、本開示の範囲および趣旨から逸脱することなく、変更を目下記述しかつ修正しているように行うことができる。この説明は特定の手段、材料および実施形態を参照するが、開示は開示した詳細事項に限定することは意図せず、むしろ開示は、添付した特許請求の範囲の範囲内にある技術、構造、方法および使用と機能的に均等な全ての技術、構造、方法および使用にまで及ぶ。
【図１】
2019520887.tif 000003
【図２】
2019520887.tif 000004
【図２Ａ】
2019520887.tif 000005
【図３】
2019520887.tif 000006
【図３Ａ】
2019520887.tif 000007
【図３Ｂ】
2019520887.tif 000008
【図４Ａ】
2019520887.tif 000009
【図４Ｂ】
2019520887.tif 000010
【図５】
2019520887.tif 000011
【図５Ａ】
2019520887.tif 000012
【図５Ｂ】
2019520887.tif 000013
【図６Ａ】
2019520887.tif 000014
【図６Ｂ】
2019520887.tif 000015
【図６Ｃ】
2019520887.tif 000016
【図７Ａ】
2019520887.tif 000017
【図７Ｂ】
2019520887.tif 000018
【図８Ａ】
2019520887.tif 000019
【図８Ｂ】
2019520887.tif 000020
【図９Ａ】
2019520887.tif 000021
【図９Ｂ】
2019520887.tif 000022
【図１０Ａ】
2019520887.tif 000023
【図１０Ｂ】
2019520887.tif 000024
【図１１】
2019520887.tif 000025
【図１２】
2019520887.tif 000026
【国際調査報告】
2019520887.tif 000027